【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
生体情報を測定する生体測定用アンテナ装置であって、
生体の被測定部位を取り巻いて装着されるベルトと、
上記ベルトに搭載され、上記ベルトが帯状に広がる面内で１方向または直交２方向に関して互いに離間して配置された複数のアンテナ要素を含む送受信アンテナ群と、
上記ベルトが上記被測定部位の外面を取り巻いて装着された装着状態で、上記送受信アンテナ群に含まれたいずれかのアンテナ要素を送信アンテナとして用いて上記被測定部位へ向けて電波を発射する送信回路と、
上記被測定部位によって反射された電波を上記送受信アンテナ群に含まれたいずれかのアンテナ要素を受信アンテナとして用いて受信する受信回路と、
上記受信回路の出力に基づいて、上記複数のアンテナ要素の間で、上記送信アンテナと上記受信アンテナとがなす送受信アンテナ対を重み付けするアンテナ制御部と、を備えたことを特徴とする生体測定用アンテナ装置。
【請求項２】
請求項１に記載の生体測定用アンテナ装置において、
上記アンテナ制御部は、上記受信される信号の信号対ノイズ比を取得し、この取得した信号対ノイズ比が予め定められた基準値よりも大きくなるように、上記複数のアンテナ要素の間で上記送受信アンテナ対を重み付けすることを特徴とする生体測定用アンテナ装置。
【請求項３】
請求項１または２に記載の生体測定用アンテナ装置において、
上記複数のアンテナ要素は、上記ベルトの長手方向に沿って予め定められた範囲に互いに離間して並んで配置されていることを特徴とする生体測定用アンテナ装置。
【請求項４】
請求項３に記載の生体測定用アンテナ装置において、
上記複数のアンテナ要素は、上記ベルトの長手方向に沿って互いに離間して並ぶとともに、上記ベルトの幅方向に沿って送受信アンテナ対をなすように互いに離間して並んで配置されていることを特徴とする生体測定用アンテナ装置。
【請求項５】
生体情報を測定する生体測定用アンテナ装置であって、
生体の被測定部位を取り巻いて装着されるベルトと、
上記ベルトに搭載され、上記ベルトが帯状に広がる面内で１方向または直交２方向に関して互いに離間して配置された複数のアンテナ要素を含む送受信アンテナ群と、
上記ベルトが上記被測定部位の外面を取り巻いて装着された装着状態で、上記送受信アンテナ群に含まれたいずれかのアンテナ要素を送信アンテナとして用いて上記被測定部位へ向けて電波を発射する送信回路と、
上記被測定部位によって反射された電波を上記送受信アンテナ群に含まれたいずれかのアンテナ要素を受信アンテナとして用いて受信する受信回路と、
上記受信回路の出力に基づいて、上記複数のアンテナ要素の間で、上記送信アンテナと上記受信アンテナとがなす送受信アンテナ対を切り換えて選択又は重み付けするアンテナ制御部と、
上記アンテナ制御部によって上記選択又は重み付けが１回切り換えられる度に、その選択又は重み付けに応じて受信される信号の信号対ノイズ比を記憶する記憶部とを備え、
上記アンテナ制御部は、上記記憶部に記憶された過去の選択又は重み付けに応じた信号対ノイズ比と、今回の選択又は重み付けに応じた信号対ノイズ比とに基づいて、次回の選択又は重み付けを決めることを特徴とする生体測定用アンテナ装置。
【請求項６】
生体の被測定部位の脈波を測定する脈波測定装置であって、
請求項５に記載の生体測定用アンテナ装置を備え、
上記ベルトが上記被測定部位の外面を取り巻いて装着された装着状態で、上記送受信アンテナ群が占める範囲は上記被測定部位を通る動脈に対応するようになっており、
上記装着状態で、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を切り換えて選択又は重み付けし、
上記選択又は重み付けされた上記送受信アンテナ対を介して受信した上記受信回路の出力に基づいて、上記被測定部位を通る動脈の脈波を表す脈波信号を取得する脈波検出部を備えたことを特徴とする脈波測定装置。
【請求項７】
生体の被測定部位の血圧を測定する血圧測定装置であって、
請求項６に記載の脈波測定装置を２組備え、
上記２組におけるベルトは一体に構成され、
上記２組における送受信アンテナ群は、上記ベルトの幅方向に関して互いに離間して配置され、
上記ベルトが上記被測定部位の外面を取り巻いて装着された装着状態で、上記２組のうち第１組の送受信アンテナ群が占める範囲は上記被測定部位を通る動脈の上流側部分に対応する一方、第２組の送受信アンテナ群が占める範囲は上記動脈の下流側部分に対応するようになっており、
上記装着状態で、上記２組においてそれぞれ、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を切り換えて選択又は重み付けし、
上記２組においてそれぞれ、上記選択又は重み付けされた上記送受信アンテナ対を介して受信した上記受信回路の出力に基づいて、上記脈波検出部が、上記被測定部位を通る動脈の脈波を表す脈波信号を取得し、
上記２組の上記脈波検出部がそれぞれ取得した脈波信号の間の時間差を、脈波伝播時間として取得する時間差取得部と、
脈波伝播時間と血圧との間の予め定められた対応式を用いて、上記時間差取得部によって取得された脈波伝播時間に基づいて血圧値を算出する第１の血圧算出部と
を備えたことを特徴とする血圧測定装置。
【請求項８】
請求項３または４に記載の生体測定用アンテナ装置において、
上記アンテナ制御部は、上記複数のアンテナ要素のうち、上記ベルトの長手方向に関して上記送受信アンテナ群が占める範囲内で片側の端部に配置されているアンテナ要素から他側の端部に配置されているアンテナ要素へ順次切り換えて重みを相対的に重く設定して、上記受信される信号の信号対ノイズ比が大きくなる重み付けを探索することを特徴とする生体測定用アンテナ装置。
【請求項９】
請求項３または４に記載の生体測定用アンテナ装置において、
上記アンテナ制御部は、上記複数のアンテナ要素のうち、上記ベルトの長手方向に関して上記送受信アンテナ群が占める範囲内で中央部に配置されているアンテナ要素から両側の端部に配置されているアンテナ要素へ交互に順次切り換えて相対的に重みを重く設定して、上記受信される信号の信号対ノイズ比が大きくなる重み付けを探索することを特徴とする生体測定用アンテナ装置。
【請求項１０】
請求項３または４に記載の生体測定用アンテナ装置において、
上記送受信アンテナ群は、ＭとＮをそれぞれ２以上の自然数として、上記複数のアンテナ要素をＭ行Ｎ列の配置で含むとともに、上記Ｍ行Ｎ列の中に２行２列の配置で、上記ベルトの長手方向に沿って２つの送信アンテナをなすように並ぶアンテナ要素と、上記ベルトの長手方向に沿って２つの受信アンテナをなすように並ぶアンテナ要素と、を含み、
上記アンテナ制御部は、
上記２つの送信アンテナと上記２つの受信アンテナのうち、上記ベルトの長手方向に関して片側に配置された第１の送信アンテナと第１の受信アンテナに対して相対的に重みを重くする第１の設定と、
上記２つの送信アンテナと上記２つの受信アンテナのうち、上記ベルトの長手方向に関して他側に配置された第２の送信アンテナと第２の受信アンテナに対して相対的に重みを重くする第２の設定と、
上記第１の送信アンテナと上記第２の受信アンテナに対して相対的に重みを重くする第３の設定と、
上記第２の送信アンテナと上記第１の受信アンテナに対して相対的に重みを重くする第４の設定と
を切り換えて実行して、上記受信される信号の信号対ノイズ比が大きくなる重み付けを探索することを特徴とする生体測定用アンテナ装置。
【請求項１１】
請求項８から１０までのいずれか一つに記載の生体測定用アンテナ装置において、
上記アンテナ制御部は、上記重み付けを１回切り換える度に、上記複数のアンテナ要素がなす送信アンテナによって発射される電波の相対的な位相および／または上記複数のアンテナ要素がなす受信アンテナによって受信される信号の相対的な位相をシフトさせて、それらの信号を合成して得られる合成信号の信号対ノイズ比を大きくする制御を行うことを特徴とする生体測定用アンテナ装置。
【請求項１２】
請求項８から１１までのいずれか一つに記載の生体測定用アンテナ装置において、
上記アンテナ制御部は、上記重み付けを１回切り換える度に、上記複数の送信アンテナによって発射される電波の相対的な重みおよび／または上記複数の受信アンテナによってそれぞれ受信される信号の相対的な重みを変更して、それらの信号を合成して得られる合成信号の信号対ノイズ比を大きくする制御を行うことを特徴とする生体測定用アンテナ装置。
【請求項１３】
生体の被測定部位の脈波を測定する脈波測定装置であって、
請求項１から４まで、または、８から１１までのいずれか一つに記載の生体測定用アンテナ装置を備え、
上記ベルトが上記被測定部位の外面を取り巻いて装着された装着状態で、上記送受信アンテナ群が占める範囲は上記被測定部位を通る動脈に対応するようになっており、
上記装着状態で、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を重み付けし、
上記重み付けされた上記送受信アンテナ対を介して受信した上記受信回路の出力に基づいて、上記被測定部位を通る動脈の脈波を表す脈波信号を取得する脈波検出部を備えたことを特徴とする脈波測定装置。
【請求項１４】
生体の被測定部位の血圧を測定する血圧測定装置であって、
請求項１３に記載の脈波測定装置を２組備え、
上記２組におけるベルトは一体に構成され、
上記２組における送受信アンテナ群は、上記ベルトの幅方向に関して互いに離間して配置され、
上記ベルトが上記被測定部位の外面を取り巻いて装着された装着状態で、上記２組のうち第１組の送受信アンテナ群が占める範囲は上記被測定部位を通る動脈の上流側部分に対応する一方、第２組の送受信アンテナ群が占める範囲は上記動脈の下流側部分に対応するようになっており、
上記装着状態で、上記２組においてそれぞれ、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を重み付けし、
上記２組においてそれぞれ、上記重み付けされた上記送受信アンテナ対を介して受信した上記受信回路の出力に基づいて、上記脈波検出部が、上記被測定部位を通る動脈の脈波を表す脈波信号を取得し、
上記２組の上記脈波検出部がそれぞれ取得した脈波信号の間の時間差を、脈波伝播時間として取得する時間差取得部と、
脈波伝播時間と血圧との間の予め定められた対応式を用いて、上記時間差取得部によって取得された脈波伝播時間に基づいて血圧値を算出する第１の血圧算出部と
を備えたことを特徴とする血圧測定装置。
【請求項１５】
請求項７または１４に記載の血圧測定装置において、
上記ベルトに、上記被測定部位を圧迫するための流体袋が搭載され、
上記流体袋に空気を供給して圧力を制御する圧力制御部と、
上記流体袋内の圧力に基づいて、オシロメトリック法により血圧を算出する第２の血圧算出部とを備えたことを特徴とする血圧測定装置。
【請求項１６】
請求項１から５まで若しくは８から１２までのいずれか一つに記載の生体測定用アンテナ装置、請求項６若しくは１３に記載の脈波測定装置、または、請求項７、１４若しくは１５に記載の血圧測定装置を含むことを特徴とする機器。
【請求項１７】
送受信アンテナ群を搭載したベルトを用いて生体情報を測定する生体情報測定方法であって、
上記送受信アンテナ群は、上記ベルトの長手方向および／または幅方向に関して互いに離間して配置された複数のアンテナ要素を含んでおり、
上記ベルトを生体の被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を重み付けすることを特徴とする生体情報測定方法。
【請求項１８】
送受信アンテナ群を搭載したベルトを用いて生体の被測定部位の脈波を測定する脈波測定方法であって、
上記送受信アンテナ群は、上記ベルトの長手方向および／または幅方向に関して互いに離間して配置された複数のアンテナ要素を含んでおり、
上記ベルトを上記被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を重み付けし、
上記重み付けされた上記送受信アンテナ対を介して受信した上記受信回路の出力に基づいて、上記被測定部位を通る動脈の脈波を表す脈波信号を取得することを特徴とする脈波測定方法。
【請求項１９】
２組の送受信アンテナ群を一体に搭載したベルトを用いて生体の被測定部位の血圧を測定する血圧測定方法であって、
上記２組の送受信アンテナ群は、上記ベルトの幅方向に関して互いに離間して配置され、それぞれ、上記ベルトの長手方向および／または幅方向に関して互いに離間して配置された複数のアンテナ要素を含んでおり、
上記被測定部位の外面を取り巻くように上記ベルトを装着して、上記２組のうち第１組の送受信アンテナ群が上記被測定部位を通る動脈の上流側部分に対応する一方、第２組の送受信アンテナ群が上記動脈の下流側部分に対応した装着状態にし、
この装着状態で、上記２組においてそれぞれ、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を重み付けし、
上記２組においてそれぞれ、上記重み付けされた上記送受信アンテナ対を介して受信した上記受信回路の出力に基づいて、上記被測定部位を通る動脈の脈波を表す脈波信号を取得し、
上記２組においてそれぞれ取得された脈波信号の間の時間差を、脈波伝播時間として取得し、
脈波伝播時間と血圧との間の予め定められた対応式を用いて、上記取得された脈波伝播時間に基づいて血圧値を算出することを特徴とする血圧測定方法。
【請求項２０】
送受信アンテナ群を搭載したベルトを用いて生体情報を測定する生体情報測定方法であって、
上記送受信アンテナ群は、上記ベルトの長手方向および／または幅方向に関して互いに離間して配置された複数のアンテナ要素を含んでおり、
上記ベルトを生体の被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を切り換えて選択又は重み付けし、
上記選択又は重み付けが１回切り換えられる度に、その選択又は重み付けに応じて受信される信号の信号対ノイズ比を記憶部に記憶させ、
上記記憶部に記憶された過去の選択又は重み付けに応じた信号対ノイズ比と、今回の選択又は重み付けに応じた信号対ノイズ比とに基づいて、次回の選択又は重み付けを決めることを特徴とする生体情報測定方法。
【請求項２１】
送受信アンテナ群を搭載したベルトを用いて生体の被測定部位の脈波を測定する脈波測定方法であって、
上記送受信アンテナ群は、上記ベルトの長手方向および／または幅方向に関して互いに離間して配置された複数のアンテナ要素を含んでおり、
上記ベルトを上記被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を切り換えて選択又は重み付けし、
上記選択又は重み付けが１回切り換えられる度に、その選択又は重み付けに応じて受信される信号の信号対ノイズ比を記憶部に記憶させ、
上記記憶部に記憶された過去の選択又は重み付けに応じた信号対ノイズ比と、今回の選択又は重み付けに応じた信号対ノイズ比とに基づいて、次回の選択又は重み付けを決め、
上記選択又は重み付けされた上記送受信アンテナ対を介して受信した上記受信回路の出力に基づいて、上記被測定部位を通る動脈の脈波を表す脈波信号を取得することを特徴とする脈波測定方法。
【請求項２２】
２組の送受信アンテナ群を一体に搭載したベルトを用いて生体の被測定部位の血圧を測定する血圧測定方法であって、
上記２組の送受信アンテナ群は、上記ベルトの幅方向に関して互いに離間して配置され、それぞれ、上記ベルトの長手方向および／または幅方向に関して互いに離間して配置された複数のアンテナ要素を含んでおり、
上記被測定部位の外面を取り巻くように上記ベルトを装着して、上記２組のうち第１組の送受信アンテナ群が上記被測定部位を通る動脈の上流側部分に対応する一方、第２組の送受信アンテナ群が上記動脈の下流側部分に対応した装着状態にし、
この装着状態で、上記２組においてそれぞれ、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を切り換えて選択又は重み付けし、
上記選択又は重み付けが１回切り換えられる度に、その選択又は重み付けに応じて受信される信号の信号対ノイズ比を記憶部に記憶させ、
上記記憶部に記憶された過去の選択又は重み付けに応じた信号対ノイズ比と、今回の選択又は重み付けに応じた信号対ノイズ比とに基づいて、次回の選択又は重み付けを決め、
上記２組においてそれぞれ、上記選択又は重み付けされた上記送受信アンテナ対を介して受信した上記受信回路の出力に基づいて、上記被測定部位を通る動脈の脈波を表す脈波信号を取得し、
上記２組においてそれぞれ取得された脈波信号の間の時間差を、脈波伝播時間として取得し、
脈波伝播時間と血圧との間の予め定められた対応式を用いて、上記取得された脈波伝播時間に基づいて血圧値を算出することを特徴とする血圧測定方法。
【手続補正２】
【補正対象書類名】明細書
【補正対象項目名】全文
【補正方法】変更
【補正の内容】
【発明の詳細な説明】
【発明の名称】生体測定用アンテナ装置、脈波測定装置、血圧測定装置、機器、生体情報測定方法、脈波測定方法、および血圧測定方法
【技術分野】
【０００１】
この発明は生体測定用アンテナ装置に関し、より詳しくは、生体情報の測定のために生体の被測定部位へ向けて電波を発射し又は上記被測定部位からの電波を受信する生体測定用アンテナ装置に関する。また、この発明は、そのような生体測定用アンテナ装置を備えた脈波測定装置、血圧測定装置、および機器に関する。また、この発明は、生体の被測定部位へ向けて電波を発射し又は上記被測定部位からの電波を受信する生体情報測定方法に関する。また、この発明は、そのような生体情報測定方法を含む脈波測定方法、および血圧測定方法に関する。
【背景技術】
【０００２】
従来、この種の生体測定用アンテナ装置としては、例えば特許文献１（特許第５８７９４０７号明細書）に開示されているように、被測定部位に対向される送信（発射）アンテナと受信アンテナを備え、上記送信アンテナから電波（測定信号）を被測定部位（ターゲットオブジェクト）へ向けて発射し、この被測定部位によって反射された電波（反射信号）を上記受信アンテナで受信して、生体情報を測定するものが知られている。
【先行技術文献】
【特許文献】
【０００３】
【特許文献１】特許第５８７９４０７号明細書
【発明の概要】
【発明が解決しようとする課題】
【０００４】
ところで、生体情報として例えば脈波（または脈波に関する信号）を測定する場合、動脈が通っている手首が被測定部位になることがある。例えば、ウエアラブル機器の手首装着用ベルト（またはカフ）に、このベルトの幅方向（手首の長手方向に相当）に関して互いに離間した状態で送信アンテナと受信アンテナ（適宜、これらを併せて「送受信アンテナ対」と呼ぶ。）を搭載し、上記送受信アンテナ対によってそれぞれ脈波信号を測定する態様が想定される。この態様では、手首に対するベルトの装着の度に、上記送受信アンテナ対の位置ずれが生じ得る。
【０００５】
しかしながら、特許文献１には、被測定部位に対して送受信アンテナ対の位置ずれが生じた場合に、どのように対処して測定するのか、何ら開示も示唆もされていない。何の対処も無ければ、例えば手首の周方向に関して上記送受信アンテナ対の位置ずれが生じた場合、受信される信号レベルが変動して、生体情報としての脈波を精度良く測定することができない、という問題が生ずる。
【０００６】
そこで、この発明の課題は、被測定部位に対して送受信アンテナ群の位置ずれが生じた場合であっても、被測定部位からの生体情報を精度良く測定できる生体測定用アンテナ装置を提供することにある。また、この発明の課題は、そのような生体測定用アンテナ装置を備えた脈波測定装置、血圧測定装置、および機器を提供することにある。また、この発明の課題は、被測定部位に対して送受信アンテナ群の位置ずれが生じた場合であっても、被測定部位からの生体情報を精度良く測定できる生体情報測定方法を提供することにある。また、この発明は、そのような生体情報測定方法を含む脈波測定方法、および血圧測定方法を提供することにある。
【課題を解決するための手段】
【０００７】
上記課題を解決するため、第１の局面では、この発明の生体測定用アンテナ装置は、
生体情報を測定する生体測定用アンテナ装置であって、
生体の被測定部位を取り巻いて装着されるベルトと、
上記ベルトに搭載され、上記ベルトが帯状に広がる面内で１方向または直交２方向に関して互いに離間して配置された複数のアンテナ要素を含む送受信アンテナ群と、
上記ベルトが上記被測定部位の外面を取り巻いて装着された装着状態で、上記送受信アンテナ群に含まれたいずれかのアンテナ要素を送信アンテナとして用いて上記被測定部位へ向けて電波を発射する送信回路と、
上記被測定部位によって反射された電波を上記送受信アンテナ群に含まれたいずれかのアンテナ要素を受信アンテナとして用いて受信する受信回路と、
上記受信回路の出力に基づいて、上記複数のアンテナ要素の間で、上記送信アンテナと上記受信アンテナとがなす送受信アンテナ対を重み付けするアンテナ制御部と、を備えたことを特徴とする。
【０００８】
本明細書で、「被測定部位」は、上肢（手首、上腕など）、または、下肢（足首など）のような棒状の部位のほか、体幹であってもよい。
【０００９】
また、被測定部位の「外面」とは、外部に対して露出した面を指す。例えば、被測定部位が手首であれば、その手首の外周面またはその一部（例えば、外周面のうち周方向に関して手の平側の部分に相当する掌側面）を指す。
【００１０】
また、「ベルト」は、被測定部位を取り巻くための帯状の部材を意味し、「バンド」などの他の名称であってもよい。
【００１１】
また、各「アンテナ要素」は、送信アンテナ若しくは受信アンテナとして、または、公知のサーキュレータを介して送受共用アンテナとして用いられる要素を意味する。
【００１２】
また、上記ベルトが帯状に広がる「面」とは、内周面と外周面のいずれであるかを問わない。上記面内の「１方向」とは、典型的には上記ベルトの「長手方向」もしくは「幅方向」を指すが、上記「長手方向」もしくは「幅方向」に対して斜めに傾斜した方向であってもよい。また、上記ベルトの上記被測定部位に沿う面内の「直交２方向」とは、例えば、上記「１方向」と、上記「１方向」に対して直交する方向との２方向を指す。上記ベルトの「長手方向」は、上記被測定部位に対する装着状態では、上記被測定部位の周方向に相当する。上記ベルトの「幅方向」は、上記ベルトの「長手方向」に対して交差する方向を意味する。
【００１３】
【００１４】
【００１５】
また、送受信アンテナ対を「重み付け」するとは、例えば複数のアンテナ要素の間で、或る送受信アンテナ対として用いられるアンテナ要素の重みを相対的に重く設定し、他のアンテナ要素の重みを相対的に軽く設定することを意味する。
【００１６】
本明細書で、「重み」とは、物理的な重量を意味するのではなく、複数の要素（アンテナ要素）が同時に並行して用いられる場合に、それぞれの要素が用いられる相対的な程度（大小）を表す量を意味する。
【００１７】
この発明の生体測定用アンテナ装置は、ユーザ（被験者を含む。以下同様。）が上記ベルトによって被測定部位の外面を取り巻くことによって、上記被測定部位に装着される。この装着状態で、送信回路は、上記送受信アンテナ群に含まれたいずれかのアンテナ要素を送信アンテナとして用いて上記被測定部位へ向けて電波を発射するとともに、受信回路は、上記被測定部位によって反射された電波を上記送受信アンテナ群に含まれたいずれかのアンテナ要素を受信アンテナとして用いて受信する。上記受信回路の出力に基づいて、アンテナ制御部は、上記複数のアンテナ要素の間で、上記送信アンテナと上記受信アンテナとがなす送受信アンテナ対を重み付けする処理を行う。これにより、上記アンテナ制御部によって重み付けされた上記送受信アンテナ対を介して、上記送信回路が上記被測定部位へ向けて電波を発射するとともに、上記受信回路が上記被測定部位によって反射された電波を受信する。したがって、たとえ上記被測定部位に対して上記送受信アンテナ群の位置ずれが生じたとしても、上記複数のアンテナ要素の間で、適切に送受信アンテナ対を重み付けすることができる。これにより、上記受信される信号の信号対ノイズ比を大きくすることができる。その結果、生体情報を精度良く測定することができる。
【００１８】
一実施形態の生体測定用アンテナ装置では、上記アンテナ制御部は、上記受信される信号の信号対ノイズ比を取得し、この取得した信号対ノイズ比が予め定められた基準値よりも大きくなるように、上記複数のアンテナ要素の間で上記送受信アンテナ対を重み付けすることを特徴とする。
【００１９】
この一実施形態の生体測定用アンテナ装置では、上記アンテナ制御部は、上記受信される信号の信号対ノイズ比を上記基準値よりも大きくすることができる。したがって、被測定部位から生体情報が確実に得られる。また、例えば、上記複数のアンテナ要素の間で送受信アンテナ対を重み付けしてゆく過程で、取得した或る信号対ノイズ比が上記基準値よりも大きければ、その時点で切り換えを止めて処理を完了することができる。したがって、全ての切り換えを試す場合に比して、上記アンテナ制御部による重み付けの処理が迅速に完了し得る。
【００２０】
一実施形態の生体測定用アンテナ装置では、上記複数のアンテナ要素は、上記ベルトの長手方向に沿って予め定められた範囲に互いに離間して並んで配置されていることを特徴とする。
【００２１】
ここで、「予め定められた範囲」とは、被測定部位のうち生体情報を取得する部分に対応する上記ベルト上の範囲を指す。例えば、被測定部位が手首であり、生体情報として脈波を測定する場合は、「予め定められた範囲」は、手首のうち橈骨動脈を含む部分に対応するように、上記ベルトの長手方向に沿って設定される。
【００２２】
この一実施形態の生体測定用アンテナ装置では、上記ベルトが上記被測定部位に装着される際に、たとえ上記被測定部位に対して周方向（上記ベルトの長手方向に相当）に関して上記送受信アンテナ群の位置ずれが生じたとしても、上記複数のアンテナ要素のうちいずれかのアンテナ要素が、上記被測定部位のうち生体情報を取得する部分に近くなる。したがって、上記アンテナ制御部が上記重み付けの処理を行うことによって、上記複数のアンテナ要素の間で、使用に適した送受信アンテナ対（または使用に適した重み付け）が決められる。したがって、上記受信される信号の信号対ノイズ比を大きくすることができ、その結果、生体情報を精度良く測定することができる。
【００２３】
一実施形態の生体測定用アンテナ装置では、上記複数のアンテナ要素は、上記ベルトの長手方向に沿って互いに離間して並ぶとともに、上記ベルトの幅方向に沿って送受信アンテナ対をなすように互いに離間して並んで配置されていることを特徴とする。
【００２４】
この一実施形態の生体測定用アンテナ装置では、上記ベルトが上記被測定部位に装着される際に、たとえ上記被測定部位に対して周方向（上記ベルトの長手方向に相当）に関して上記送受信アンテナ群の位置ずれが生じたとしても、複数の送受信アンテナ対のうち、上記ベルトの長手方向に関して、いずれかの送受信アンテナ対が上記被測定部位のうち生体情報を取得する部分に近くなる。したがって、上記アンテナ制御部が上記重み付けの処理を行うことによって、上記複数のアンテナ要素のうち、上記ベルトの長手方向に関して、使用に適した送受信アンテナ対（または、複数の送受信アンテナ対に対する使用に適した重み付け）が決められる。したがって、上記受信される信号の信号対ノイズ比を大きくすることができ、その結果、生体情報を精度良く測定することができる。さらに、上記複数のアンテナ要素は、それぞれ、上記ベルトの幅方向に沿って送受信アンテナ対をなすように互いに離間して並んで配置されているので、サーキュレータを用いることなく、上記送受信アンテナ対によって送信と受信が同時に行われ得る。
【００２５】
第２の局面では、この発明の生体測定用アンテナ装置は、
生体情報を測定する生体測定用アンテナ装置であって、
生体の被測定部位を取り巻いて装着されるベルトと、
上記ベルトに搭載され、上記ベルトが帯状に広がる面内で１方向または直交２方向に関して互いに離間して配置された複数のアンテナ要素を含む送受信アンテナ群と、
上記ベルトが上記被測定部位の外面を取り巻いて装着された装着状態で、上記送受信アンテナ群に含まれたいずれかのアンテナ要素を送信アンテナとして用いて上記被測定部位へ向けて電波を発射する送信回路と、
上記被測定部位によって反射された電波を上記送受信アンテナ群に含まれたいずれかのアンテナ要素を受信アンテナとして用いて受信する受信回路と、
上記受信回路の出力に基づいて、上記複数のアンテナ要素の間で、上記送信アンテナと上記受信アンテナとがなす送受信アンテナ対を切り換えて選択又は重み付けするアンテナ制御部と、
上記アンテナ制御部によって上記選択又は重み付けが１回切り換えられる度に、その選択又は重み付けに応じて受信される信号の信号対ノイズ比を記憶する記憶部とを備え、
上記アンテナ制御部は、上記記憶部に記憶された過去の選択又は重み付けに応じた信号対ノイズ比と、今回の選択又は重み付けに応じた信号対ノイズ比とに基づいて、次回の選択又は重み付けを決めることを特徴とする。
本明細書で、「送受信アンテナ対を切り換え」るとは、複数のアンテナ要素の間で送信アンテナと受信アンテナとの両方を切り換える場合だけでなく、例えば或るアンテナ要素を送信アンテナとして固定して用い、複数のアンテナ要素の間で受信アンテナを切り換える場合と、或るアンテナ要素を受信アンテナとして固定して用い、複数のアンテナ要素の間で送信アンテナを切り換える場合とを含む。
また、送受信アンテナ対を「選択」するとは、例えば複数のアンテナ要素の間で、或る送受信アンテナ対として用いられるアンテナ要素を選択し、他のアンテナ要素を非選択とすることを意味する。
【００２６】
この一実施形態の生体測定用アンテナ装置では、上記複数のアンテナ要素の間で、使用に適した送受信アンテナ対を、信号対ノイズ比（Ｓ／Ｎ）の状況に応じて探索できる。
【００２７】
第３の局面では、この発明の脈波測定装置は、
生体の被測定部位の脈波を測定する脈波測定装置であって、
上記第２の局面の生体測定用アンテナ装置を備え、
上記ベルトが上記被測定部位の外面を取り巻いて装着された装着状態で、上記送受信アンテナ群が占める範囲は上記被測定部位を通る動脈に対応するようになっており、
上記装着状態で、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を切り換えて選択又は重み付けし、
上記選択又は重み付けされた上記送受信アンテナ対を介して受信した上記受信回路の出力に基づいて、上記被測定部位を通る動脈の脈波を表す脈波信号を取得する脈波検出部を備えたことを特徴とする。
【００２８】
この発明の脈波測定装置では、上記アンテナ制御部が、上記複数のアンテナ要素の間で上記送受信アンテナ対を選択又は重み付けする。したがって、たとえ上記被測定部位に対して上記送受信アンテナ群の位置ずれが生じたとしても、例えば上記複数のアンテナ要素の間で、適切な送受信アンテナ対を選択したり、適切に送受信アンテナ対を重み付けすることができる。これにより、上記受信される信号の信号対ノイズ比を大きくすることができる。その結果、生体情報としての脈波信号を精度良く測定することができる。
【００２９】
【００３０】
第４の局面では、この発明の血圧測定装置は、
生体の被測定部位の血圧を測定する血圧測定装置であって、
上記第３の局面の脈波測定装置を２組備え、
上記２組におけるベルトは一体に構成され、
上記２組における送受信アンテナ群は、上記ベルトの幅方向に関して互いに離間して配置され、
上記ベルトが上記被測定部位の外面を取り巻いて装着された装着状態で、上記２組のうち第１組の送受信アンテナ群が占める範囲は上記被測定部位を通る動脈の上流側部分に対応する一方、第２組の送受信アンテナ群が占める範囲は上記動脈の下流側部分に対応するようになっており、
上記装着状態で、上記２組においてそれぞれ、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を切り換えて選択又は重み付けし、
上記２組においてそれぞれ、上記選択又は重み付けされた上記送受信アンテナ対を介して受信した上記受信回路の出力に基づいて、上記脈波検出部が、上記被測定部位を通る動脈の脈波を表す脈波信号を取得し、
上記２組の上記脈波検出部がそれぞれ取得した脈波信号の間の時間差を、脈波伝播時間として取得する時間差取得部と、
脈波伝播時間と血圧との間の予め定められた対応式を用いて、上記時間差取得部によって取得された脈波伝播時間に基づいて血圧値を算出する第１の血圧算出部と
を備えたことを特徴とする。
【００３１】
この発明の血圧測定装置では、上記２組においてそれぞれ、上記アンテナ制御部が、上記複数のアンテナ要素の間で上記送受信アンテナ対を選択又は重み付けする。したがって、たとえ上記被測定部位に対して上記２組の上記送受信アンテナ群の位置ずれが生じたとしても、上記２組においてそれぞれ、例えば上記複数のアンテナ要素の間で、適切な送受信アンテナ対を選択したり、適切に送受信アンテナ対を重み付けすることができる。これにより、上記受信される信号の信号対ノイズ比を大きくすることができ、上記脈波検出部は生体情報としての脈波信号を精度良く取得することができる。この結果、上記時間差取得部は、上記脈波伝播時間を精度良く取得でき、したがって、上記第１の血圧算出部は、上記血圧値を精度良く算出（推定）できる。
【００３２】
【００３３】
上記第１の局面に戻って、一実施形態の生体測定用アンテナ装置では、上記アンテナ制御部は、上記複数のアンテナ要素のうち、上記ベルトの長手方向に関して上記送受信アンテナ群が占める範囲内で片側の端部に配置されているアンテナ要素から他側の端部に配置されているアンテナ要素へ順次切り換えて重みを相対的に重く設定して、上記受信される信号の信号対ノイズ比が大きくなる重み付けを探索することを特徴とする。
【００３４】
本明細書で、「重みを相対的に重く」設定するとは、上記複数のアンテナ要素のうち、或るアンテナ要素に重みを重く設定する一方、上記アンテナ要素以外のアンテナ要素については、重みを軽く設定することを意味する。また、「片側の端部に配置されている要素から他側の端部に配置されている要素へ順次切り換え」るとは、片側の端部に配置されている要素（これを第１の要素とする。）から、上記第１の要素の他側に隣り合う要素（これを第２の要素とする。）、上記第２の要素の他側に隣り合う要素（これを第３の要素とする。）、上記第３の要素の他側に隣り合う要素（これを第４の要素とする。）、…というように順次切り換えることを意味する。
【００３５】
この一実施形態の生体測定用アンテナ装置では、上記複数のアンテナ要素の間で、使用に適した重み付けが確実に決められる。
【００３６】
一実施形態の生体測定用アンテナ装置では、上記アンテナ制御部は、上記複数のアンテナ要素のうち、上記ベルトの長手方向に関して上記送受信アンテナ群が占める範囲内で中央部に配置されているアンテナ要素から両側の端部に配置されているアンテナ要素へ交互に順次切り換えて相対的に重みを重く設定して、上記受信される信号の信号対ノイズ比が大きくなる重み付けを探索することを特徴とする。
ここで、「中央部に配置されている要素から両側の端部に配置されている要素へ交互に順次切り換え」るとは、中央部に配置されている要素（これを第１の要素とする。）から、上記第１の要素の片側に隣り合う要素（これを第２の要素とする。）、上記第１の要素の他側に隣り合う要素（これを第３の要素とする。）、上記第２の要素の片側に隣り合う要素（これを第４の要素とする。）、上記第３の要素の他側に隣り合う要素（これを第５の要素とする。）、…というように順次切り換えることを意味する。
【００３７】
上記ベルトが上記被測定部位に装着される際に、上記被測定部位に対する上記送受信アンテナ群の位置ずれ量は、統計的観点から、上記被測定部位のうち生体情報を取得する部分を中心として正規分布の頻度を示すことが想定される。そこで、この一実施形態の生体測定用アンテナ装置では、上記アンテナ制御部は、上記複数のアンテナ要素のうち、上記ベルトの長手方向に関して上記送受信アンテナ群が占める範囲内で中央部に配置されているアンテナ要素から両側の端部に配置されているアンテナ要素へ交互に順次切り換えて相対的に重みを重くして、上記受信される信号の信号対ノイズ比が大きくなる重み付けを探索する。これにより、上記複数のアンテナ要素の間で、使用に適した重み付けが、確実かつ迅速に決められる。
【００３８】
一実施形態の生体測定用アンテナ装置では、
上記送受信アンテナ群は、ＭとＮをそれぞれ２以上の自然数として、上記複数のアンテナ要素をＭ行Ｎ列の配置で含むとともに、上記Ｍ行Ｎ列の中に２行２列の配置で、上記ベルトの長手方向に沿って２つの送信アンテナをなすように並ぶアンテナ要素と、上記ベルトの長手方向に沿って２つの受信アンテナをなすように並ぶアンテナ要素と、を含み、
上記アンテナ制御部は、
上記２つの送信アンテナと上記２つの受信アンテナのうち、上記ベルトの長手方向に関して片側に配置された第１の送信アンテナと第１の受信アンテナに対して相対的に重みを重くする第１の設定と、
上記２つの送信アンテナと上記２つの受信アンテナのうち、上記ベルトの長手方向に関して他側に配置された第２の送信アンテナと第２の受信アンテナに対して相対的に重みを重くする第２の設定と、
上記第１の送信アンテナと上記第２の受信アンテナに対して相対的に重みを重くする第３の設定と、
上記第２の送信アンテナと上記第１の受信アンテナに対して相対的に重みを重くする第４の設定と
を切り換えて実行して、上記受信される信号の信号対ノイズ比が大きくなる重み付けを探索することを特徴とする。
【００３９】
この一実施形態の生体測定用アンテナ装置は、上記アンテナ制御部は、上記２つの送信アンテナと上記２つの受信アンテナのうち、上記ベルトの長手方向に関して片側に配置された第１の送信アンテナと第１の受信アンテナに対して相対的に重みを重くする第１の設定と、上記２つの送信アンテナと上記２つの受信アンテナのうち、上記ベルトの長手方向に関して他側に配置された第２の送信アンテナと第２の受信アンテナに対して相対的に重みを重くする第２の設定とを切り換えて実行する。これにより、上記ベルトが上記被測定部位に装着される際に、たとえ上記被測定部位に対して周方向に関して上記送受信アンテナ群の位置ずれが生じたとしても、上記第１、第２の送受信アンテナ対のうち、いずれかの送受信アンテナ対によって、上記受信される信号の信号対ノイズ比を大きくすることができ、その結果、生体情報を精度良く測定することができる。さらに、上記アンテナ制御部は、上記第１の送信アンテナと上記第２の受信アンテナに対して相対的に重みを重くする第３の設定と、上記第２の送信アンテナと上記第１の受信アンテナに対して相対的に重みを重くする第４の設定とを切り換えて実行する。これにより、上記ベルトが上記被測定部位に装着される際に、たとえ上記被測定部位を通る動脈に対して上記ベルトが斜めに交差して上記送受信アンテナ群が斜めに位置ずれしたとしても、上記第３、第４の送受信アンテナ対のうち、いずれかの送受信アンテナ対によって、上記受信される信号の信号対ノイズ比を大きくすることができ、その結果、生体情報を精度良く測定することができる。
【００４０】
なお、上記送受信アンテナ群がなす行列は、ＭとＮをそれぞれ２以上の自然数として、上記複数のアンテナ要素をＭ行Ｎ列の配置で含む。例えば、Ｍ＝Ｎ＝２であれば、上記送受信アンテナ群がなす行列は２行２列のみとなる。ただし、上記送受信アンテナ群がなす行列は、２行２列に限られるものではなく、例えばＭ≧３かつＮ≧３の多数行多数列であってもよい。その場合、上記アンテナ制御部は、上記多数行多数列に含まれた１組または複数組の２行２列のアンテナ要素について上述の切り換えを実行する。また、制御の対象となる２行２列のアンテナ要素は互いに隣り合っていることを要さず、それらのアンテナ要素の間に別のアンテナ要素が配置されていてもよい。
【００４１】
一実施形態の生体測定用アンテナ装置では、上記アンテナ制御部は、上記重み付けを１回切り換える度に、上記複数のアンテナ要素がなす送信アンテナによって発射される電波の相対的な位相および／または上記複数のアンテナ要素がなす受信アンテナによって受信される信号の相対的な位相をシフトさせて、それらの信号を合成して得られる合成信号の信号対ノイズ比を大きくする制御を行うことを特徴とする。
【００４２】
上記重み付けを行う方式では、上記複数のアンテナ要素がなす送信アンテナによって発射される電波の間の相対的な位相ずれまたは上記複数のアンテナ要素がなす受信アンテナによってそれぞれ受信される信号の間の相対的な位相ずれを調整する余地がある。そこで、この一実施形態の生体測定用アンテナ装置では、上記アンテナ制御部は、上記重み付けを１回切り換える度に、上記複数のアンテナ要素がなす送信アンテナによって発射される電波の相対的な位相および／または上記複数のアンテナ要素がなす受信アンテナによって受信される信号の相対的な位相をシフトさせて、それらの信号を合成して得られる合成信号の信号対ノイズ比を大きくする制御を行う。したがって、上記受信される信号の間の位相ずれが調整されて、信号対ノイズ比がさらに向上する。
【００４３】
一実施形態の生体測定用アンテナ装置では、上記アンテナ制御部は、上記重み付けを１回切り換える度に、上記複数の送信アンテナによって発射される電波の相対的な重みおよび／または上記複数の受信アンテナによってそれぞれ受信される信号の相対的な重みを変更して、それらの信号を合成して得られる合成信号の信号対ノイズ比を大きくする制御を行うことを特徴とする。
【００４４】
上記重み付けを行う方式では、上記複数のアンテナ要素がなす送信アンテナによって発射される電波の間の相対的な重みまたは上記複数のアンテナ要素がなす受信アンテナによってそれぞれ受信される信号の間の相対的な重みを調整する余地がある。そこで、この一実施形態の生体測定用アンテナ装置は、上記アンテナ制御部は、上記重み付けを１回切り換える度に、上記複数の送信アンテナによって発射される電波の相対的な重みおよび／または上記複数の受信アンテナによってそれぞれ受信される信号の相対的な重みを変更して、それらの信号を合成して得られる合成信号の信号対ノイズ比を大きくする制御を行う。したがって、上記受信される信号の間の相対的な重みが調整されて、信号対ノイズ比がさらに向上する。
【００４５】
第５の局面では、この発明の脈波測定装置は、
生体の被測定部位の脈波を測定する脈波測定装置であって、
上記第１の局面の生体測定用アンテナ装置を備え、
上記ベルトが上記被測定部位の外面を取り巻いて装着された装着状態で、上記送受信アンテナ群が占める範囲は上記被測定部位を通る動脈に対応するようになっており、
上記装着状態で、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を重み付けし、
上記重み付けされた上記送受信アンテナ対を介して受信した上記受信回路の出力に基づいて、上記被測定部位を通る動脈の脈波を表す脈波信号を取得する脈波検出部を備えたことを特徴とする。
【００４６】
この発明の脈波測定装置では、上記アンテナ制御部が、上記複数のアンテナ要素の間で上記送受信アンテナ対を重み付けする。したがって、たとえ上記被測定部位に対して上記送受信アンテナ群の位置ずれが生じたとしても、上記複数のアンテナ要素の間で、適切に送受信アンテナ対を重み付けすることができる。これにより、上記受信される信号の信号対ノイズ比を大きくすることができる。その結果、生体情報としての脈波信号を精度良く測定することができる。
【００４７】
第６の局面では、この発明の血圧測定装置は、
生体の被測定部位の血圧を測定する血圧測定装置であって、
上記第５の局面の脈波測定装置を２組備え、
上記２組におけるベルトは一体に構成され、
上記２組における送受信アンテナ群は、上記ベルトの幅方向に関して互いに離間して配置され、
上記ベルトが上記被測定部位の外面を取り巻いて装着された装着状態で、上記２組のうち第１組の送受信アンテナ群が占める範囲は上記被測定部位を通る動脈の上流側部分に対応する一方、第２組の送受信アンテナ群が占める範囲は上記動脈の下流側部分に対応するようになっており、
上記装着状態で、上記２組においてそれぞれ、上記送信回路によって、上記送受信アンテナ群に含まれたいずれかのアンテナ要素を送信アンテナとして用いて上記被測定部位へ向けて電波を発射するとともに、上記受信回路によって、上記被測定部位によって反射された電波を上記送受信アンテナ群に含まれたいずれかのアンテナ要素を受信アンテナとして用いて受信しながら、上記受信回路の出力に基づいて、上記アンテナ制御部が、上記複数のアンテナ要素の間で、上記送信アンテナと上記受信アンテナとがなす送受信アンテナ対を重み付けし、
上記２組においてそれぞれ、上記重み付けされた上記送受信アンテナ対を介して受信した上記受信回路の出力に基づいて、上記脈波検出部が、上記被測定部位を通る動脈の脈波を表す脈波信号を取得し、
上記２組の上記脈波検出部がそれぞれ取得した脈波信号の間の時間差を、脈波伝播時間として取得する時間差取得部と、
脈波伝播時間と血圧との間の予め定められた対応式を用いて、上記時間差取得部によって取得された脈波伝播時間に基づいて血圧値を算出する第１の血圧算出部と
を備えたことを特徴とする。
【００４８】
この発明の血圧測定装置では、上記２組においてそれぞれ、上記アンテナ制御部が、上記複数のアンテナ要素の間で上記送受信アンテナ対を重み付けする。したがって、たとえ上記被測定部位に対して上記２組の上記送受信アンテナ群の位置ずれが生じたとしても、上記２組においてそれぞれ、上記複数のアンテナ要素の間で、適切に送受信アンテナ対を重み付けすることができる。これにより、上記受信される信号の信号対ノイズ比を大きくすることができ、上記脈波検出部は生体情報としての脈波信号を精度良く取得することができる。この結果、上記時間差取得部は、上記脈波伝播時間を精度良く取得でき、したがって、上記第１の血圧算出部は、上記血圧値を精度良く算出（推定）できる。
【００４９】
一実施形態の血圧測定装置は、
上記ベルトに、上記被測定部位を圧迫するための流体袋が搭載され、
上記流体袋に空気を供給して圧力を制御する圧力制御部と、
上記流体袋内の圧力に基づいて、オシロメトリック法により血圧を算出する第２の血圧算出部とを備えたことを特徴とする。
【００５０】
この一実施形態の血圧測定装置では、脈波伝播時間に基づく血圧測定（推定）と、オシロメトリック法による血圧測定とが、共通のベルトを用いて行われ得る。したがって、ユーザの利便性が高まる。
【００５１】
第７の局面では、この発明の機器は、上記生体測定用アンテナ装置、上記脈波測定装置、または、上記血圧測定装置を含むことを特徴とする。
【００５２】
この発明の機器は、上記生体測定用アンテナ装置、上記脈波測定装置、または、上記血圧測定装置を含み、他の機能を実行する機能部を含んでいてもよい。この機器によれば、生体情報を精度良く測定でき、生体情報としての脈波信号を精度良く取得でき、または、血圧値を精度良く算出（推定）できる。その他、この機器は様々な機能を実行することができる。
【００５３】
第８の局面では、この発明の生体情報測定方法は、
送受信アンテナ群を搭載したベルトを用いて生体情報を測定する生体情報測定方法であって、
上記送受信アンテナ群は、上記ベルトの長手方向および／または幅方向に関して互いに離間して配置された複数のアンテナ要素を含んでおり、
上記ベルトを生体の被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を重み付けすることを特徴とする。
【００５４】
この生体情報測定方法によれば、たとえ上記被測定部位に対して上記送受信アンテナ群の位置ずれが生じたとしても、上記複数のアンテナ要素の間で、適切に送受信アンテナ対を重み付けすることができる。これにより、上記受信される信号の信号対ノイズ比を大きくすることができる。その結果、生体情報を精度良く測定することができる。
【００５５】
第９の局面では、この発明の脈波測定方法は、
送受信アンテナ群を搭載したベルトを用いて生体の被測定部位の脈波を測定する脈波測定方法であって、
上記送受信アンテナ群は、上記ベルトの長手方向および／または幅方向に関して互いに離間して配置された複数のアンテナ要素を含んでおり、
上記ベルトを上記被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を重み付けし、
上記重み付けされた上記送受信アンテナ対を介して受信した上記受信回路の出力に基づいて、上記被測定部位を通る動脈の脈波を表す脈波信号を取得することを特徴とする。
【００５６】
この脈波測定方法によれば、たとえ上記被測定部位に対して上記送受信アンテナ群の位置ずれが生じたとしても、上記複数のアンテナ要素の間で、適切に送受信アンテナ対を重み付けすることができる。これにより、上記受信される信号の信号対ノイズ比を大きくすることができる。その結果、生体情報としての脈波を精度良く測定することができる。
【００５７】
第１０の局面では、この発明の血圧測定方法は、
２組の送受信アンテナ群を一体に搭載したベルトを用いて生体の被測定部位の血圧を測定する血圧測定方法であって、
上記２組の送受信アンテナ群は、上記ベルトの幅方向に関して互いに離間して配置され、それぞれ、上記ベルトの長手方向および／または幅方向に関して互いに離間して配置された複数のアンテナ要素を含んでおり、
上記被測定部位の外面を取り巻くように上記ベルトを装着して、上記２組のうち第１組の送受信アンテナ群が上記被測定部位を通る動脈の上流側部分に対応する一方、第２組の送受信アンテナ群が上記動脈の下流側部分に対応した装着状態にし、
この装着状態で、上記２組においてそれぞれ、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を重み付けし、
上記２組においてそれぞれ、上記重み付けされた上記送受信アンテナ対を介して受信した上記受信回路の出力に基づいて、上記被測定部位を通る動脈の脈波を表す脈波信号を取得し、
上記２組においてそれぞれ取得された脈波信号の間の時間差を、脈波伝播時間として取得し、
脈波伝播時間と血圧との間の予め定められた対応式を用いて、上記取得された脈波伝播時間に基づいて血圧値を算出することを特徴とする。
【００５８】
この血圧測定方法によれば、たとえ上記被測定部位に対して上記２組の上記送受信アンテナ群の位置ずれが生じたとしても、上記２組においてそれぞれ、上記複数のアンテナ要素の間で、適切に送受信アンテナ対を重み付けすることができる。これにより、上記受信される信号の信号対ノイズ比を大きくすることができ、生体情報としての脈波信号を精度良く取得することができる。この結果、上記脈波伝播時間を精度良く取得でき、したがって、上記血圧値を精度良く算出（推定）できる。
第１１の局面では、この発明の生体情報測定方法は、
送受信アンテナ群を搭載したベルトを用いて生体情報を測定する生体情報測定方法であって、
上記送受信アンテナ群は、上記ベルトの長手方向および／または幅方向に関して互いに離間して配置された複数のアンテナ要素を含んでおり、
上記ベルトを生体の被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を切り換えて選択又は重み付けし、
上記選択又は重み付けが１回切り換えられる度に、その選択又は重み付けに応じて受信される信号の信号対ノイズ比を記憶部に記憶させ、
上記記憶部に記憶された過去の選択又は重み付けに応じた信号対ノイズ比と、今回の選択又は重み付けに応じた信号対ノイズ比とに基づいて、次回の選択又は重み付けを決めることを特徴とする。
この発明の生体測定用アンテナ方法では、上記複数のアンテナ要素の間で、使用に適した送受信アンテナ対を、信号対ノイズ比（Ｓ／Ｎ）の状況に応じて探索できる。
第１２の局面では、この発明の脈波測定方法は、
送受信アンテナ群を搭載したベルトを用いて生体の被測定部位の脈波を測定する脈波測定方法であって、
上記送受信アンテナ群は、上記ベルトの長手方向および／または幅方向に関して互いに離間して配置された複数のアンテナ要素を含んでおり、
上記ベルトを上記被測定部位の外面を取り巻くように装着して、上記送受信アンテナ群が上記被測定部位を通る動脈に対応した装着状態にし、
この装着状態で、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を切り換えて選択又は重み付けし、
上記選択又は重み付けが１回切り換えられる度に、その選択又は重み付けに応じて受信される信号の信号対ノイズ比を記憶部に記憶させ、
上記記憶部に記憶された過去の選択又は重み付けに応じた信号対ノイズ比と、今回の選択又は重み付けに応じた信号対ノイズ比とに基づいて、次回の選択又は重み付けを決め、
上記選択又は重み付けされた上記送受信アンテナ対を介して受信した上記受信回路の出力に基づいて、上記被測定部位を通る動脈の脈波を表す脈波信号を取得することを特徴とする。
この発明の脈波測定方法では、たとえ上記被測定部位に対して上記送受信アンテナ群の位置ずれが生じたとしても、例えば上記複数のアンテナ要素の間で、適切な送受信アンテナ対を選択したり、適切に送受信アンテナ対を重み付けすることができる。これにより、上記受信される信号の信号対ノイズ比を大きくすることができる。その結果、生体情報としての脈波信号を精度良く測定することができる。
第１３の局面では、この発明の血圧測定方法は、
２組の送受信アンテナ群を一体に搭載したベルトを用いて生体の被測定部位の血圧を測定する血圧測定方法であって、
上記２組の送受信アンテナ群は、上記ベルトの幅方向に関して互いに離間して配置され、それぞれ、上記ベルトの長手方向および／または幅方向に関して互いに離間して配置された複数のアンテナ要素を含んでおり、
上記被測定部位の外面を取り巻くように上記ベルトを装着して、上記２組のうち第１組の送受信アンテナ群が上記被測定部位を通る動脈の上流側部分に対応する一方、第２組の送受信アンテナ群が上記動脈の下流側部分に対応した装着状態にし、
この装着状態で、上記２組においてそれぞれ、送信回路によって、上記送受信アンテナ群に含まれたいずれかのアンテナ要素を送信アンテナとして用いて上記被測定部位へ向けて電波を発射するとともに、受信回路によって、上記被測定部位によって反射された電波を上記送受信アンテナ群に含まれたいずれかのアンテナ要素を受信アンテナとして用いて受信しながら、上記受信回路の出力に基づいて、上記複数のアンテナ要素の間で、上記送信アンテナと上記受信アンテナとがなす送受信アンテナ対を切り換えて選択又は重み付けし、
上記選択又は重み付けが１回切り換えられる度に、その選択又は重み付けに応じて受信される信号の信号対ノイズ比を記憶部に記憶させ、
上記記憶部に記憶された過去の選択又は重み付けに応じた信号対ノイズ比と、今回の選択又は重み付けに応じた信号対ノイズ比とに基づいて、次回の選択又は重み付けを決め、
上記２組においてそれぞれ、上記選択又は重み付けされた上記送受信アンテナ対を介して受信した上記受信回路の出力に基づいて、上記被測定部位を通る動脈の脈波を表す脈波信号を取得し、
上記２組においてそれぞれ取得された脈波信号の間の時間差を、脈波伝播時間として取得し、
脈波伝播時間と血圧との間の予め定められた対応式を用いて、上記取得された脈波伝播時間に基づいて血圧値を算出することを特徴とする。
この発明の血圧測定方法では、たとえ上記被測定部位に対して上記２組の上記送受信アンテナ群の位置ずれが生じたとしても、上記２組においてそれぞれ、例えば上記複数のアンテナ要素の間で、適切な送受信アンテナ対を選択したり、適切に送受信アンテナ対を重み付けすることができる。これにより、上記受信される信号の信号対ノイズ比を大きくすることができ、生体情報としての脈波信号を精度良く取得することができる。この結果、上記脈波伝播時間を精度良く取得でき、したがって、上記血圧値を精度良く算出（推定）できる。
【発明の効果】
【００５９】
以上より明らかなように、この発明の生体測定用アンテナ装置および生体情報測定方法によれば、被測定部位に対して送受信アンテナ群の位置ずれが生じた場合であっても、被測定部位からの生体情報を精度良く測定できる。また、この発明の脈波測定装置および脈波測定方法によれば、生体情報としての脈波信号を精度良く取得できる。また、この発明の血圧測定装置および血圧測定方法によれば、血圧値を精度良く算出（推定）できる。また、この発明の機器によれば、生体情報を精度良く測定でき、生体情報としての脈波信号を精度良く取得でき、または、血圧値を精度良く算出（推定）できる他、他の様々な機能を実行することができる。
【図面の簡単な説明】
【００６０】
【図１】この発明の生体測定用アンテナ装置、脈波測定装置および血圧測定装置に係る一実施形態の手首式血圧計の外観を示す斜視図である。
【図２】上記血圧計が左手首に装着された状態での手首の長手方向に対して垂直な断面を模式的に示す図である。
【図３】上記血圧計が左手首に装着された状態での、第１、第２の脈波センサを構成する送受信アンテナ群の平面レイアウトを示す図である。
【図４】上記血圧計の制御系の全体的なブロック構成を示す図である。
【図５】上記血圧計の制御系の部分的かつ機能的なブロック構成を示す図である。
【図６】上記血圧計の送受信回路群に含まれた送信アンテナ切換回路および受信アンテナ切換回路の構成を示す図である。
【図７】図７（Ａ）は、上記血圧計が左手首に装着された状態での、手首の長手方向に沿った断面を模式的に示す図である。図７（Ｂ）は、第１、第２の脈波センサがそれぞれ出力する第１、第２の脈波信号の波形を示す図である。
【図８Ａ】上記血圧計において、オシロメトリック法を行うためのプラグラムによって実装されるブロック構成を示す図である。
【図８Ｂ】上記血圧計がオシロメトリック法による血圧測定を行う際の動作フローを示す図である。
【図９】図８Ｂの動作フローによるカフ圧と脈波信号の変化を示す図である。
【図１０】この発明の一実施形態の生体情報測定方法、脈波測定方法および血圧測定方法に係る全体的な動作フローであって、上記血圧計が脈波測定を行って脈波伝播時間（Pulse Transit Time；ＰＴＴ）を取得し、その脈波伝播時間に基づく血圧測定（推定）を行うものを示す図である。
【図１１】図１１（Ａ）〜図１１（Ｄ）は、それぞれ、手首に対してベルトに搭載された送受信アンテナ群の位置ずれが生じる態様を示す図である。
【図１２】図１２（Ａ）は、上記血圧計のＣＰＵによる、送受信アンテナ対を切り換えて選択する方式の動作フローを示す図である。図１２（Ｂ）は、図１２（Ａ）の動作フローの変形例を示す図である。
【図１３】図１３（Ａ）は、ベルトの長手方向に関して、橈骨動脈に対して送受信アンテナ群の位置ずれが生じた結果、取得された脈波信号の波形（Ｓ／Ｎ＝３４ｄＢ）を例示する図である。図１３（Ｂ）は、図１２の動作フローによって取得された脈波信号の波形（Ｓ／Ｎ＝４７ｄＢ）を例示する図である。
【図１４】図５に対比して、上記血圧計が、送信アンテナ重み付け及び移相回路、受信アンテナ重み付け及び移相回路を備えた場合の、制御系の部分的かつ機能的なブロック構成を示す図である。
【図１５】上記送信アンテナ重み付け及び移相回路と上記受信アンテナ重み付け及び移相回路の構成を示す図である。
【図１６Ａ】上記血圧計のＣＰＵによる、送受信アンテナ対に対して重み付けする方式の動作フローを示す図である。
【図１６Ｂ】上記血圧計のＣＰＵによる、送受信アンテナ対に対して重み付けする方式の動作フローを示す図である。
【図１６Ｃ】上記血圧計のＣＰＵによる、送受信アンテナ対に対して重み付けする方式の動作フローを示す図である。
【図１７】図１７（Ａ）〜図１７（Ｈ）は、図１６Ａ〜図１６Ｃの動作フローに伴う第１組の送受信アンテナ対、第２組の送受信アンテナ対における重み付けの状態を模式的に示す図である。
【図１８Ａ】上記ＣＰＵが図１６Ａ〜図１６Ｃ中に示した関数Ａの制御を行う場合の動作フローを示す図である。
【図１８Ｂ】上記ＣＰＵが図１６Ａ〜図１６Ｃ中に示した関数Ａの制御を行う場合の動作フローを示す図である。
【図１９Ａ】上記ＣＰＵが図１６Ａ〜図１６Ｃ中に示した関数Ｃの制御を行う場合の動作フローを示す図である。
【図１９Ｂ】上記ＣＰＵが図１６Ａ〜図１６Ｃ中に示した関数Ｃの制御を行う場合の動作フローを示す図である。
【図２０Ａ】上記血圧計のＣＰＵによる、２行２列の送受信アンテナに対して重み付けする場合の動作フローを示す図である。
【図２０Ｂ】上記血圧計のＣＰＵによる、２行２列の送受信アンテナに対して重み付けする場合の動作フローを示す図である。
【図２０Ｃ】上記血圧計のＣＰＵによる、２行２列の送受信アンテナに対して重み付けする場合の動作フローを示す図である。
【図２１】図２１（Ａ）〜図２１（Ｉ）は、図２０Ａ〜図２０Ｃの動作フローに伴う第１組の送受信アンテナ対、第２組の送受信アンテナ対における重み付けの状態を模式的に示す図である。
【図２２Ａ】上記ＣＰＵが図２０Ａ〜図２０Ｃ中に示した関数Ｂの制御を行う場合の動作フローを示す図である。
【図２２Ｂ】上記ＣＰＵが図２０Ａ〜図２０Ｃ中に示した関数Ｂの制御を行う場合の動作フローを示す図である。
【図２３Ａ】上記血圧計のＣＰＵによる、使用に適した送受信アンテナ対を動的に探索する方式の動作フローを示す図である。
【図２３Ｂ】上記血圧計のＣＰＵによる、使用に適した送受信アンテナ対を動的に探索する方式の動作フローを示す図である。
【図２３Ｃ】上記血圧計のＣＰＵによる、使用に適した送受信アンテナ対を動的に探索する方式の動作フローを示す図である。
【図２４】図２４（Ａ）〜図２４（Ｆ）は、上記第２組の送受信アンテナ対（および上記第１組の送受信アンテナ対）の変形例を示す図である。
【図２５】図２５（Ａ）、図２５（Ｂ）は、上記第２組の送受信アンテナ対（および上記第１組の送受信アンテナ対）の別の変形例を示す図である。
【図２６】図２６（Ａ）〜図２６（Ｃ）は、上記第２組の送受信アンテナ対（および上記第１組の送受信アンテナ対）のさらに別の変形例を示す図である。
【図２７】上記血圧計が左手首に装着された状態での、第１、第２の脈波センサを構成する送受信アンテナ群の別の平面レイアウトを、図３と対比して示す図である。
【図２８】図２８（Ａ）は、図３中の１つのアンテナ要素を拡大して示す図である。図２８（Ｂ）、図２８（Ｃ）は、それぞれアンテナ要素の変形例を示す図である。
【発明を実施するための形態】
【００６１】
以下、この発明の実施の形態を、図面を参照しながら詳細に説明する。
【００６２】
（血圧計の構成）
図１は、この発明の生体測定用アンテナ装置、脈波測定装置および血圧測定装置に係る一実施形態の手首式血圧計（全体を符号１で示す。）の外観を斜めから見たところを示している。また、図２は、血圧計１が被測定部位としての左手首９０に装着された状態（以下「装着状態」と呼ぶ。）で、左手首９０の長手方向に対して垂直な断面を模式的に示している。
【００６３】
これらの図に示すように、この血圧計１は、大別して、ユーザの左手首９０を取り巻いて装着されるベルト２０と、このベルト２０に一体に取り付けられた本体１０とを備えている。この血圧計１は、全体として、２組の脈波測定装置を含む血圧測定装置に対応するものとして構成されている。各脈波測定装置は、それぞれ生体測定用アンテナ装置を含んでいる。
【００６４】
図１によって分かるように、ベルト２０は、左手首９０を周方向に沿って取り巻くように細長い帯状の形状を有し、左手首９０に接する内周面２０ａと、この内周面２０ａと反対側の外周面２０ｂとを有している。ベルト２０の幅方向Ｙの寸法（幅寸法）は、この例では約３０ｍｍに設定されている。
【００６５】
本体１０は、ベルト２０のうち、周方向に関して一方の端部２０ｅに、この例では一体成形により一体に設けられている。なお、ベルト２０と本体１０とを別々に形成し、ベルト２０に対して本体１０を係合部材（例えばヒンジなど）を介して一体に取り付けても良い。この例では、本体１０が配置された部位は、装着状態で左手首９０の背側面（手の甲側の面）９０ｂに対応することが予定されている（図２参照）。図２中には、左手首９０内で、外面としての掌側面（手の平側の面）９０ａ近傍を通る橈骨動脈９１が示されている。
【００６６】
図１によって分かるように、本体１０は、ベルト２０の外周面２０ｂに対して垂直な方向に厚さを有する立体的形状を有している。この本体１０は、ユーザの日常活動の邪魔にならないように、小型で、薄厚に形成されている。この例では、本体１０は、ベルト２０から外向きに突起した四角錐台状の輪郭を有している。
【００６７】
本体１０の頂面（被測定部位から最も遠い側の面）１０ａには、表示画面をなす表示器５０が設けられている。また、本体１０の側面（図１における左手前側の側面）１０ｆに沿って、ユーザからの指示を入力するための操作部５２が設けられている。
【００６８】
ベルト２０のうち、周方向に関して一方の端部２０ｅと他方の端部２０ｆとの間の部位に、第１、第２の脈波センサを構成する送受信部４０が設けられている。ベルト２０のうち、送受信部４０が配置された部位の内周面２０ａには、ベルト２０の長手方向Ｘおよび幅方向Ｙに関して互いに離間して配置された複数のアンテナ要素ＴＸ１，ＴＸ２，…，ＲＸ１，ＲＸ２，…を含む送受信アンテナ群４０Ｅが搭載されている（後に詳述する。）。この例では、ベルト２０の長手方向Ｘに関して送受信アンテナ群４０Ｅが占める範囲は、装着状態で左手首９０の橈骨動脈９１に対応することが予定されている（図２参照）。
【００６９】
図１中に示すように、本体１０の底面（被測定部位に最も近い側の面）１０ｂとベルト２０の端部２０ｆとは、三つ折れバックル２４によって接続されている。このバックル２４は、外周側に配置された第１の板状部材２５と、内周側に配置された第２の板状部材２６とを含んでいる。第１の板状部材２５の一方の端部２５ｅは、幅方向Ｙに沿って延びる連結棒２７を介して本体１０に対して回動自在に取り付けられている。第１の板状部材２５の他方の端部２５ｆは、幅方向Ｙに沿って延びる連結棒２８を介して第２の板状部材２６の一方の端部２６ｆに対して回動自在に取り付けられている。第２の板状部材２６の他方の端部２６ｅは、固定部２９によってベルト２０の端部２０ｆ近傍に固定されている。なお、ベルト２０の長手方向Ｘ（装着状態では、左手首９０の周方向に相当する。）に関して固定部２９の取り付け位置は、ユーザの左手首９０の周囲長に合わせて予め可変して設定されている。これにより、この血圧計１（ベルト２０）は、全体として略環状に構成されるとともに、本体１０の底面１０ｂとベルト２０の端部２０ｆとが、バックル２４によって矢印Ｂ方向に開閉可能になっている。
【００７０】
この血圧計１を左手首９０に装着する際には、バックル２４を開いてベルト２０の環の径を大きくした状態で、図１中に矢印Ａで示す向きに、ユーザがベルト２０に左手を通す。そして、図２に示すように、ユーザは、左手首９０の周りのベルト２０の角度位置を調節して、左手首９０を通っている橈骨動脈９１上にベルト２０の送受信部４０を位置させる。これにより、送受信部４０の送受信アンテナ群４０Ｅが左手首９０の掌側面９０ａのうち橈骨動脈９１に対応する部分９０ａ１に当接する状態になる。この状態で、ユーザが、バックル２４を閉じて固定する。このようにして、ユーザは血圧計１（ベルト２０）を左手首９０に装着する。
【００７１】
図２中に示すように、この例では、ベルト２０は、外周面２０ｂをなす帯状体２３と、この帯状体２３の内周面に沿って取り付けられた押圧部材としての押圧カフ２１とを含んでいる。帯状体２３は、プラスチック材料（この例では、シリコーン樹脂）からなり、この例では、厚さ方向に関して可撓性を有し、かつ、長手方向Ｘ（左手首９０の周方向に相当）に関して殆ど伸縮しないように（実質的に非伸縮性に）なっている。押圧カフ２１は、この例では、伸縮可能な２枚のポリウレタンシートを厚さ方向に対向させ、それらの周縁部を溶着して、流体袋として構成されている。押圧カフ２１（ベルト２０）の内周面２０ａのうち、左手首９０の橈骨動脈９１に対応する部位には、既述のように送受信部４０の送受信アンテナ群４０Ｅが配置されている。
【００７２】
図３に示すように、装着状態では、送受信部４０の送受信アンテナ群４０Ｅは、左手首９０の橈骨動脈９１に対応して、概ね左手首９０の長手方向（ベルト２０の幅方向Ｙに相当）に沿って互いに離間した状態で、左手首９０の周方向（ベルト２０の長手方向Ｘに相当）に沿ってそれぞれ列をなして並ぶ２つの送信アンテナ列４１，４４と２つの受信アンテナ列４２，４３とを含んでいる。この例では、幅方向Ｙに関して、送受信アンテナ群４０Ｅが占める範囲内の両側に送信アンテナ列４１，４４が配置され、これらの送信アンテナ列４１，４４の間に受信アンテナ列４２，４３が配置されている。送信アンテナ列４１，４４は、それぞれ、送信アンテナとして用いられる４つのアンテナ要素ＴＸ１，ＴＸ２，ＴＸ３，ＴＸ４を、長手方向Ｘに沿って互いに離間して並んだ状態で含んでいる（以下、これらのアンテナ要素を送信アンテナＴＸ１，ＴＸ２，ＴＸ３，ＴＸ４と呼ぶ。）。受信アンテナ列４２，４３は、それぞれ、受信アンテナとして用いられる４つのアンテナ要素ＲＸ１，ＲＸ２，ＲＸ３，ＲＸ４を、長手方向Ｘに沿って互いに離間して並んだ状態で含んでいる（以下、これらのアンテナ要素を受信アンテナＲＸ１，ＲＸ２，ＲＸ３，ＲＸ４と呼ぶ。）。送信アンテナ列４１に含まれた送信アンテナＴＸ１，ＴＸ２，ＴＸ３，ＴＸ４と、隣り合う受信アンテナ列４２に含まれ、それらの送信アンテナＴＸ１，ＴＸ２，ＴＸ３，ＴＸ４からの電波をそれぞれ受信する受信アンテナＲＸ１，ＲＸ２，ＲＸ３，ＲＸ４とが、第１組の送受信アンテナ対（ＴＸ１，ＲＸ１），（ＴＸ２，ＲＸ２），（ＴＸ３，ＲＸ３），（ＴＸ４，ＲＸ４）を構成している（各対を括弧で括って表している。これらの対を「第１組の送受信アンテナ対（４１，４２）」と総称する。）。同様に、送信アンテナ列４４に含まれた送信アンテナＴＸ１，ＴＸ２，ＴＸ３，ＴＸ４と、隣り合う受信アンテナ列４３に含まれ、それらの送信アンテナＴＸ１，ＴＸ２，ＴＸ３，ＴＸ４からの電波をそれぞれ受信する受信アンテナＲＸ１，ＲＸ２，ＲＸ３，ＲＸ４とが、第２組の送受信アンテナ対（ＴＸ１，ＲＸ１），（ＴＸ２，ＲＸ２），（ＴＸ３，ＲＸ３），（ＴＸ４，ＲＸ４）を構成している（各対を括弧で括って表している。これらの対を「第２組の送受信アンテナ対（４４，４３）」と総称する。）。この配置では、幅方向Ｙに関して、受信アンテナ列４２に対して、送信アンテナ列４４よりも送信アンテナ列４１が近い。また、幅方向Ｙに関して、受信アンテナ列４３に対して、送信アンテナ列４１よりも送信アンテナ列４４が近い。したがって、第１組の送受信アンテナ対（４１，４２）と第２組の送受信アンテナ対（４４，４３）との間の混信を少なくすることができる。また、第１組の送受信アンテナ対（４１，４２）、第２組の送受信アンテナ対（４４，４３）において、それぞれ、ベルト２０の幅方向Ｙに沿って、送受信アンテナ対（ＴＸ１，ＲＸ１），（ＴＸ２，ＲＸ２），（ＴＸ３，ＲＸ３），（ＴＸ４，ＲＸ４）をなすように互いに離間して並んで配置されているので、サーキュレータを用いることなく、送受信アンテナ対（ＴＸ１，ＲＸ１），（ＴＸ２，ＲＸ２），（ＴＸ３，ＲＸ３），（ＴＸ４，ＲＸ４）によって送信と受信が同時に行われ得る。
【００７３】
この例では、１つの送信アンテナまたは受信アンテナは、２４ＧＨｚ帯の周波数の電波を発射または受信し得るように、面方向（図３において紙面の方向を意味する。）に関して、縦横いずれも約３ｍｍの正方形のパターン形状を有している。ベルト２０の幅方向Ｙに関して、第１組における送信アンテナＴＸ１，ＴＸ２，ＴＸ３，ＴＸ４の中心とそれぞれ隣り合う受信アンテナＲＸ１，ＲＸ２，ＲＸ３，ＲＸ４の中心との間の距離は、８ｍｍ〜１０ｍｍの範囲内に設定されている。同様に、ベルト２０の幅方向Ｙに関して、第２組における送信アンテナＴＸ１，ＴＸ２，ＴＸ３，ＴＸ４の中心とそれぞれ隣り合う受信アンテナＲＸ１，ＲＸ２，ＲＸ３，ＲＸ４の中心との間の距離は、８ｍｍ〜１０ｍｍの範囲内に設定されている。また、ベルト２０の幅方向Ｙに関して、第１組の送受信アンテナ対（４１，４２）の中央と第２組の送受信アンテナ対（４４，４３）の中央との間の距離Ｄ（図７（Ａ）参照）は、この例では２０ｍｍに設定されている。この距離Ｄは、第１組の送受信アンテナ対（４１，４２）と第２組の送受信アンテナ対（４４，４３）との間の実質的な間隔に相当する。
【００７４】
また、図２中に示すように、この例では、各送信アンテナＴＸ１，ＴＸ２，ＴＸ３，ＴＸ４は、電波の発射のための導電体層４０１を有している。導電体層４０１のうち左手首９０に対向する面に沿って、誘電体層４０２が取り付けられている（個々の送信アンテナ、受信アンテナにおいて同じ構成になっている。）。この例では、導電体層４０１のパターン形状に対して、誘電体層４０２のパターン形状を同じに設定しているが、異なっていてもよい。送受信アンテナ群４０Ｅが左手首９０に対して装着された装着状態では、誘電体層４０２のうち、導電体層４０１に取り付けられた面とは反対の側の面が左手首９０の掌側面９０ａに当接する。この装着状態では、左手首９０の掌側面９０ａに導電体層４０１が対向し、誘電体層４０２は、スペーサとして働いて、左手首９０の掌側面９０ａと導電体層４０１との間の距離を一定に保つ。これにより、左手首９０からの生体情報を精度良く測定することを可能にする。
【００７５】
この例では、導電体層４０１は金属（例えば、銅など）からなっている。誘電体層４０２は、この例ではポリカーボネートからなっており、それにより、誘電体層４０２の比誘電率は、均一にεｒ≒３．０に設定されている。なお、この比誘電率は、送受信に用いられる電波の２４ＧＨｚ帯の周波数での比誘電率を意味している。
【００７６】
このような送受信アンテナ群４０Ｅは、面方向に沿って偏平に構成され得る。したがって、この血圧計１では、ベルト２０を全体として薄厚に構成できる。
【００７７】
図４は、血圧計１の制御系の全体的なブロック構成を示している。血圧計１の本体１０には、既述の表示器５０、操作部５２に加えて、制御部としてのＣＰＵ（Central Processing Unit）１００、記憶部としてのメモリ５１、通信部５９、圧力センサ３１、ポンプ３２、弁３３、圧力センサ３１からの出力を周波数に変換する発振回路３１０、および、ポンプ３２を駆動するポンプ駆動回路３２０が搭載されている。さらに、送受信部４０には、既述の送受信アンテナ群４０Ｅに加えて、ＣＰＵ１００がメモリ５１に記憶されている所定のプログラムを実行することによって制御される送受信回路群４５が搭載されている。
【００７８】
表示器５０は、この例では有機ＥＬ（Electro Luminescence）ディスプレイからなり、ＣＰＵ１００からの制御信号に従って、血圧測定結果などの血圧測定に関する情報、その他の情報を表示する。なお、表示器５０は、有機ＥＬディスプレイに限られるものではなく、例えばＬＣＤ（Liquid Crystal Display）など、他のタイプの表示器からなっていてもよい。
【００７９】
操作部５２は、この例ではプッシュ式スイッチからなり、ユーザによる血圧測定開始又は停止の指示に応じた操作信号をＣＰＵ１００に入力する。なお、操作部５２は、プッシュ式スイッチに限られるものではなく、例えば感圧式（抵抗式）または近接式（静電容量式）のタッチパネル式スイッチなどであってもよい。また、図示しないマイクロフォンを備えて、ユーザの音声によって血圧測定開始の指示を入力するようにしてもよい。
【００８０】
メモリ５１は、血圧計１を制御するためのプログラムのデータ、血圧計１を制御するために用いられるデータ、血圧計１の各種機能を設定するための設定データ、血圧値の測定結果のデータなどを非一時的に記憶する。また、メモリ５１は、プログラムが実行されるときのワークメモリなどとして用いられる。
【００８１】
ＣＰＵ１００は、メモリ５１に記憶された血圧計１を制御するためのプログラムに従って、制御部として各種機能を実行する。例えば、オシロメトリック法による血圧測定を実行する場合は、ＣＰＵ１００は、操作部５２からの血圧測定開始の指示に応じて、圧力センサ３１からの信号に基づいて、ポンプ３２（および弁３３）を駆動する制御を行う。また、ＣＰＵ１００は、この例では圧力センサ３１からの信号に基づいて、血圧値を算出する制御を行う。
【００８２】
通信部５９は、ＣＰＵ１００によって制御されて所定の情報を、ネットワーク９００を介して外部の装置に送信したり、外部の装置からの情報を、ネットワーク９００を介して受信してＣＰＵ１００に受け渡したりする。このネットワーク９００を介した通信は、無線、有線のいずれでも良い。この実施形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。この通信部５９は、マイクロＵＳＢコネクタを含んでいてもよい。
【００８３】
ポンプ３２および弁３３はエア配管３９を介して、また、圧力センサ３１はエア配管３８を介して、それぞれ押圧カフ２１に接続されている。なお、エア配管３９，３８は、共通の１本の配管であってもよい。圧力センサ３１は、エア配管３８を介して、押圧カフ２１内の圧力を検出する。ポンプ３２は、この例では圧電ポンプからなり、押圧カフ２１内の圧力（カフ圧）を加圧するために、エア配管３９を通して押圧カフ２１に加圧用の流体としての空気を供給する。弁３３は、ポンプ３２に搭載され、ポンプ３２のオン／オフに伴って開閉が制御される構成になっている。すなわち、弁３３は、ポンプ３２がオンされると閉じて、押圧カフ２１内に空気を封入する一方、ポンプ３２がオフされると開いて、押圧カフ２１の空気をエア配管３９を通して大気中へ排出させる。なお、弁３３は、逆止弁の機能を有し、排出されるエアが逆流することはない。ポンプ駆動回路３２０は、ポンプ３２をＣＰＵ１００から与えられる制御信号に基づいて駆動する。
【００８４】
圧力センサ３１は、この例ではピエゾ抵抗式圧力センサであり、エア配管３８を通してベルト２０（押圧カフ２１）の圧力、この例では大気圧を基準（ゼロ）とした圧力を検出して時系列の信号として出力する。発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。この例では、圧力センサ３１の出力は、押圧カフ２１の圧力を制御するため、および、オシロメトリック法によって血圧値（収縮期血圧（Systolic Blood Pressure；ＳＢＰ）と拡張期血圧（Diastolic Blood Pressure；ＤＢＰ）とを含む。）を算出するために用いられる。
【００８５】
電池５３は、本体１０に搭載された要素、この例では、ＣＰＵ１００、圧力センサ３１、ポンプ３２、弁３３、表示器５０、メモリ５１、通信部５９、発振回路３１０、ポンプ駆動回路３２０の各要素へ電力を供給する。また、電池５３は、配線７１を通して、送受信部４０の送受信回路群４５へも電力を供給する。この配線７１は、信号用の配線７２とともに、ベルト２０の帯状体２３と押圧カフ２１との間に挟まれた状態で、ベルト２０の長手方向Ｘに沿って本体１０と送受信部４０との間に延在して設けられている。
【００８６】
送受信部４０の送受信回路群４５は、図５に示すように、送信アンテナ列４１，４４にそれぞれ接続された送信アンテナ切換回路６１，６４と、これらの送信アンテナ切換回路６１，６４にそれぞれ接続された送信回路４６，４９と、受信アンテナ列４２，４３にそれぞれ接続された受信アンテナ切換回路６２，６３と、これらの受信アンテナ切換回路６２，６３にそれぞれ接続された受信回路４７，４８とを含んでいる。送信回路４６，４９は、その動作時に、それぞれ接続された送信アンテナ切換回路６１，６４と送信アンテナ列４１，４４を介して、この例では２４ＧＨｚ帯の周波数の電波Ｅ１，Ｅ２を発射する。受信回路４７，４８は、それぞれ被測定部位としての左手首９０（より正確には、橈骨動脈９１の対応する部分）によって反射された電波Ｅ１′，Ｅ２′を、受信アンテナ列４２，４３と受信アンテナ切換回路６２，６３を介して受信して、検波および増幅する。送信アンテナ切換回路６１，６４と受信アンテナ切換回路６２，６３は、スイッチング素子等のハードウエアで実現されてもよいし、ＣＰＵ１００内のプログラムによってソフトウエアで実現されてもよい。
【００８７】
この例では、図６に模式的に示すように、送信アンテナ切換回路６１は、１回路４接点の切換スイッチとして機能し、アンテナ制御部１１１からの送信アンテナ制御信号ＣＴ１に従って、送信アンテナ列４１に含まれた送信アンテナＴＸ１，ＴＸ２，ＴＸ３，ＴＸ４のうち、用いられる送信アンテナを選択するようになっている。受信アンテナ切換回路６２は、同様に１回路４接点の切換スイッチとして機能し、アンテナ制御部１１１からの受信アンテナ制御信号ＣＲ１に従って、受信アンテナ列４２に含まれた受信アンテナＲＸ１，ＲＸ２，ＲＸ３，ＲＸ４のうち、用いられる受信アンテナを選択するようになっている。この例では、送信アンテナ切換回路６１と受信アンテナ切換回路６２とは互いに連動して切り換えられて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、用いられる送受信アンテナ対（ＴＸｉ，ＲＸｉ）（ただし、ｉ＝１，２，３，４のいずれかとする。）が選択されるようになっている。ただし、（ＴＸ１，ＲＸ２）などのように、ｍ＝１，２，３，４のいずれか、ｎ＝１，２，３，４のいずれか、かつ、ｍ≠ｎとしたとき、送受信アンテナ対（ＴＸｍ，ＲＸｎ）となる組み合わせも可能になっている。
【００８８】
また、図５中に示す送信アンテナ切換回路６４は、送信アンテナ切換回路６１と同様に構成され、アンテナ制御部１１２からの送信アンテナ制御信号ＣＴ２に従って、送信アンテナ列４４に含まれた送信アンテナＴＸ１，ＴＸ２，ＴＸ３，ＴＸ４のうち、用いられる送信アンテナを選択するようになっている。また、受信アンテナ切換回路６３は、受信アンテナ切換回路６２と同様に構成され、アンテナ制御部１１２からの受信アンテナ制御信号ＣＲ２に従って、受信アンテナ列４３に含まれた受信アンテナＲＸ１，ＲＸ２，ＲＸ３，ＲＸ４のうち、用いられる受信アンテナを選択するようになっている。この例では、送信アンテナ切換回路６４と受信アンテナ切換回路６３とは互いに連動して切り換えられて、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、用いられる送受信アンテナ対（ＴＸｊ，ＲＸｊ）（ただし、ｊ＝１，２，３，４のいずれかとする。）が選択されるようになっている。ただし、（ＴＸ１，ＲＸ２）などのように、ｍ＝１，２，３，４のいずれか、ｎ＝１，２，３，４のいずれか、かつ、ｍ≠ｎとしたとき、送受信アンテナ対（ＴＸｍ，ＲＸｎ）となる組み合わせも可能になっている。
【００８９】
後に詳述するように、図５中に示す脈波検出部１０１，１０２は、それぞれ受信回路４７，４８の出力に基づいて、左手首９０を通る橈骨動脈９１の脈波を表す脈波信号ＰＳ１，ＰＳ２を取得する。アンテナ制御部１１１は、脈波検出部１０１からの脈波信号ＰＳ１に基づいて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、用いられる送受信アンテナ対を選択するための送信アンテナ制御信号ＣＴ１および受信アンテナ制御信号ＣＲ１を出力する。同様に、アンテナ制御部１１２は、脈波検出部１０２からの脈波信号ＰＳ２に基づいて、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、用いられる送受信アンテナ対を選択するための送信アンテナ制御信号ＣＴ２および受信アンテナ制御信号ＣＲ２を出力する。さらに、時間差取得部としてのＰＴＴ算出部１０３は、２組の脈波検出部１０１，１０２がそれぞれ取得した脈波信号ＰＳ１，ＰＳ２の間の時間差を、脈波伝播時間（Pulse Transit Time；ＰＴＴ）として取得する。また、第１の血圧算出部１０４は、脈波伝播時間と血圧との間の予め定められた対応式を用いて、ＰＴＴ算出部１０３によって取得された脈波伝播時間に基づいて血圧値を算出する。ここで、脈波検出部１０１，１０２、アンテナ制御部１１１，１１２、ＰＴＴ算出部１０３、および第１の血圧算出部１０４は、ＣＰＵ１００がメモリ５１に記憶されている所定のプログラムを実行することによって実現される。送信アンテナ列４１、受信アンテナ列４２、送信アンテナ切換回路６１、受信アンテナ切換回路６２、送信回路４６、受信回路４７、脈波検出部１０１、および、アンテナ制御部１１１は、第１組の脈波測定装置としての第１の脈波センサ４０−１を構成する。送信アンテナ列４４、受信アンテナ列４３、送信アンテナ切換回路６４、受信アンテナ切換回路６３、送信回路４９、受信回路４８、脈波検出部１０２、および、アンテナ制御部１１２は、第２組の脈波測定装置としての第２の脈波センサ４０−２を構成する。
【００９０】
装着状態では、図７（Ａ）中に示すように、左手首９０の長手方向（ベルト２０の幅方向Ｙに相当）に関して、第１組の送受信アンテナ対（４１，４２）は左手首９０を通る橈骨動脈９１の上流側部分９１ｕに対応する一方、第２組の送受信アンテナ対（４４，４３）は橈骨動脈９１の下流側部分９１ｄに対応するようになっている。第１組の送受信アンテナ対（４１，４２）によって取得された信号は、橈骨動脈９１の上流側部分９１ｕと第１組の送受信アンテナ対（４１，４２）との間の、脈波（血管の拡張と収縮をもたらす）に伴う距離の変化を表す。第２組の送受信アンテナ対（４４，４３）によって取得された信号は、橈骨動脈９１の下流側部分９１ｄと第２組の送受信アンテナ対（４４，４３）との間の、脈波に伴う距離の変化を表す。第１の脈波センサ４０−１の脈波検出部１０１、第２の脈波センサ４０−２の脈波検出部１０２は、それぞれ受信回路４７，４８の出力に基づいて、それぞれ図７（Ｂ）中に示すような山状の波形をもつ第１の脈波信号ＰＳ１，第２の脈波信号ＰＳ２を時系列で出力する。
【００９１】
この例では、受信アンテナ列４２，４３の受信レベルは、約１μＷ（１ｍＷに対するデシベル値では−３０ｄＢｍ）程度になっている。受信回路４７，４８の出力レベルは、約１ボルト程度になっている。また、第１の脈波信号ＰＳ１，第２の脈波信号ＰＳ２のそれぞれのピークＡ１，Ａ２は、約１００ｍＶ〜１ボルトの程度になっている。
【００９２】
なお、橈骨動脈９１の血流の脈波伝播速度（Pulse Wave Velocity；ＰＷＶ）が１０００ｃｍ／ｓ〜２０００ｃｍ／ｓの範囲であるとすると、第１の脈波センサ４０−１と第２の脈波センサ４０−２との間の実質的な間隔Ｄ＝２０ｍｍであることから、第１の脈波信号ＰＳ１，第２の脈波信号ＰＳ２間の時間差Δｔは１．０ｍｓ〜２．０ｍｓの範囲となる。
【００９３】
（オシロメトリック法による血圧測定の構成および動作）
図８Ａは、血圧計１において、オシロメトリック法を行うためのプラグラムによって実装されるブロック構成を示している。
【００９４】
このブロック構成では、大別して、圧力制御部２０１と、第２の血圧算出部２０４と、出力部２０５とが実装されている。
【００９５】
圧力制御部２０１は、さらに、圧力検知部２０２と、ポンプ駆動部２０３とを含んでいる。圧力検知部２０２は、圧力センサ３１から発振回路３１０を通して入力された周波数信号を処理して、押圧カフ２１内の圧力（カフ圧）を検知するための処理を行う。ポンプ駆動部２０３は、検知されたカフ圧Ｐｃ（図９参照）に基づいて、ポンプ駆動回路３２０を通してポンプ３２と弁３３を駆動するための処理を行う。これにより、圧力制御部２０１は、所定の加圧速度で、押圧カフ２１に空気を供給して圧力を制御する。
【００９６】
第２の血圧算出部２０４は、カフ圧Ｐｃに含まれた動脈容積の変動成分を脈波信号Ｐｍ（図９参照）として取得し、取得された脈波信号Ｐｍに基づいて、オシロメトリック法により公知のアルゴリズムを適用して血圧値（収縮期血圧ＳＢＰと拡張期血圧ＤＢＰ）を算出する処理を行う。血圧値の算出が完了すると、第２の血圧算出部２０４は、ポンプ駆動部２０３の処理を停止させる。
【００９７】
出力部２０５は、算出された血圧値（収縮期血圧ＳＢＰと拡張期血圧ＤＢＰ）を、この例では表示器５０に表示するための処理を行う。
【００９８】
図８Ｂは、血圧計１がオシロメトリック法による血圧測定を行う際の動作フロー（血圧測定方法のフロー）を示している。血圧計１のベルト２０は、左手首９０を取り巻くように予め装着されているものとする。
【００９９】
ユーザが本体１０に設けられた操作部５２としてのプッシュ式スイッチによってオシロメトリック法による血圧測定を指示すると（ステップＳ１）、ＣＰＵ１００は動作を開始して、処理用メモリ領域を初期化する（ステップＳ２）。また、ＣＰＵ１００は、ポンプ駆動回路３２０を介してポンプ３２をオフし、弁３３を開いて、押圧カフ２１内の空気を排気する。続いて、圧力センサ３１の現時点の出力値を大気圧に相当する値として設定する制御を行う（０ｍｍＨｇ調整）。
【０１００】
続いて、ＣＰＵ１００は、圧力制御部２０１のポンプ駆動部２０３として働いて、弁３３を閉鎖し、その後、ポンプ駆動回路３２０を介してポンプ３２を駆動して、押圧カフ２１に空気を送る制御を行う。これにより、押圧カフ２１を膨張させるとともにカフ圧Ｐｃ（図９参照）を徐々に加圧して、被測定部位としての左手首９０を圧迫してゆく（図８ＢのステップＳ３）。
【０１０１】
この加圧過程で、ＣＰＵ１００は、血圧値を算出するために、圧力制御部２０１の圧力検知部２０２として働いて、圧力センサ３１によって、カフ圧Ｐｃをモニタし、左手首９０の橈骨動脈９１で発生する動脈容積の変動成分を、図９中に示すような脈波信号Ｐｍとして取得する。
【０１０２】
次に、図８Ｂ中のステップＳ４で、ＣＰＵ１００は、第２の血圧算出部として働いて、この時点で取得されている脈波信号Ｐｍに基づいて、オシロメトリック法により公知のアルゴリズムを適用して血圧値（収縮期血圧ＳＢＰと拡張期血圧ＤＢＰ）の算出を試みる。
【０１０３】
この時点で、データ不足のために未だ血圧値を算出できない場合は（ステップＳ５でＮＯ）、カフ圧Ｐｃが上限圧力（安全のために、例えば３００ｍｍＨｇというように予め定められている。）に達していない限り、ステップＳ３〜Ｓ５の処理を繰り返す。
【０１０４】
このようにして血圧値の算出ができたら（ステップＳ５でＹＥＳ）、ＣＰＵ１００は、ポンプ３２を停止し、弁３３を開いて、押圧カフ２１内の空気を排気する制御を行う（ステップＳ６）。そして最後に、ＣＰＵ１００は出力部２０５として働いて、血圧値の測定結果を表示器５０に表示するとともに、メモリ５１に記録する（ステップＳ７）。
【０１０５】
なお、血圧値の算出は、加圧過程に限らず、減圧過程において行われてもよい。
【０１０６】
（脈波伝播時間に基づく血圧測定の動作）
図１０は、この発明の一実施形態の生体情報測定方法、脈波測定方法および血圧測定方法に係る動作フローであって、血圧計１が脈波測定を行って脈波伝播時間（Pulse Transit Time；ＰＴＴ）を取得し、その脈波伝播時間に基づく血圧測定（推定）を行うものを示している。血圧計１のベルト２０は、左手首９０を取り巻くように予め装着されているものとする。
【０１０７】
ユーザが本体１０に設けられた操作部５２としてのプッシュ式スイッチによってＰＴＴに基づく血圧測定を指示すると、ＣＰＵ１００は動作を開始する。すなわち、ＣＰＵ１００は、弁３３を閉鎖するとともに、ポンプ駆動回路３２０を介してポンプ３２を駆動して、押圧カフ２１に空気を送る制御を行って、押圧カフ２１を膨張させるとともにカフ圧Ｐｃ（図７（Ａ）参照）を予め定められた値に加圧する（図１０のステップＳ１１）。この例では、ユーザの身体的負担を軽くするために、左手首９０に対してベルト２０が密接するのに足りる程度の加圧（例えば５ｍｍＨｇ程度）に留める。これにより、左手首９０の掌側面９０ａに送受信アンテナ群４０Ｅを確実に当接させて、掌側面９０ａと送受信アンテナ群４０Ｅとの間に空隙が生じないようにする。なお、このステップＳ１１を省略してもよい。
【０１０８】
このとき、図７（Ａ）に関して述べたように、左手首９０の長手方向（ベルト２０の幅方向Ｙに相当）に関して、第１組の送受信アンテナ対（４１，４２）は左手首９０を通る橈骨動脈９１の上流側部分９１ｕに対応する一方、第２組の送受信アンテナ対（４４，４３）は橈骨動脈９１の下流側部分９１ｄに対応する。
【０１０９】
次に、この装着状態で、図１０のステップＳ１２に示すように、ＣＰＵ１００は、図５中に示した第１の脈波センサ４０−１と第２の脈波センサ４０−２においてそれぞれ、送信および受信の制御を行う。
【０１１０】
具体的には、図７（Ａ）中に示すように、第１の脈波センサ４０−１において、送信回路４６が、送信アンテナ列４１を介して、すなわち導電体層４０１から誘電体層４０２（またはこの誘電体層４０２の側方に存在する空隙）を通して、橈骨動脈９１の上流側部分９１ｕへ向けて電波Ｅ１を発射する。これとともに、受信回路４７が、橈骨動脈９１の上流側部分９１ｕによって反射された電波Ｅ１′を、受信アンテナ列４２を介して、すなわち誘電体層４０２（またはこの誘電体層４０２の側方に存在する空隙）を通して導電体層４０１によって受信して、検波および増幅する。また、第２の脈波センサ４０−２において、送信回路４９が、送信アンテナ列４４を介して、すなわち導電体層４０１から誘電体層４０２（またはこの誘電体層４０２の側方に存在する空隙）を通して、橈骨動脈９１の下流側部分９１ｄへ向けて電波Ｅ２を発射する。これとともに、受信回路４８が、橈骨動脈９１の下流側部分９１ｄによって反射された電波Ｅ２′を、受信アンテナ列４３を介して、すなわち誘電体層４０２（またはこの誘電体層４０２の側方に存在する空隙）を通して導電体層４０１によって受信して、検波および増幅する。
【０１１１】
この図１０のステップＳ１２では、このような送信および受信を行いながら、ＣＰＵ１００は、アンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、用いられる送受信アンテナ対を切り換えて選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、用いられる送受信アンテナ対を切り換えて選択する制御を行う。このステップＳ１２における選択の処理については、後に詳述する。
【０１１２】
次に、図１０のステップＳ１３に示すように、ＣＰＵ１００は、図５中に示した第１の脈波センサ４０−１と第２の脈波センサ４０−２においてそれぞれ、脈波検出部１０１，１０２として働いて、図７（Ｂ）中に示すような脈波信号ＰＳ１，ＰＳ２を取得する。すなわち、第１の脈波センサ４０−１において、ＣＰＵ１００は脈波検出部１０１として働いて、上記第１組の送受信アンテナ対（４１，４２）において選択又は重み付けされた送受信アンテナ対を介して受信した受信回路４７の出力に基づいて、受信回路４７の血管拡張期の出力と血管収縮期の出力から、橈骨動脈９１の上流側部分９１ｕの脈波を表す脈波信号ＰＳ１を取得する。また、第２の脈波センサ４０−２において、ＣＰＵ１００は脈波検出部１０２として働いて、上記第２組の送受信アンテナ対（４４，４３）において選択又は重み付けされた送受信アンテナ対を介して受信した受信回路４８の出力に基づいて、受信回路４８の血管拡張期の出力と血管収縮期の出力から、橈骨動脈９１の下流側部分９１ｄの脈波を表す脈波信号ＰＳ２を取得する。
【０１１３】
次に、図１０のステップＳ１４に示すように、ＣＰＵ１００は時間差取得部としてのＰＴＴ算出部１０３として働いて、脈波信号ＰＳ１と脈波信号ＰＳ２との間の時間差を、脈波伝播時間（ＰＴＴ）として取得する。より詳しくは、この例では、図７（Ｂ）中に示した第１脈波信号ＰＳ１のピークＡ１と第２の脈波信号ＰＳ２のピークＡ２との間の時間差Δｔを脈波伝播時間（ＰＴＴ）として取得する。
【０１１４】
この後、図１０のステップＳ１５に示すように、ＣＰＵ１００は第１の血圧算出部として働いて、脈波伝播時間と血圧との間の予め定められた対応式Ｅｑを用いて、ステップＳ１４で取得された脈波伝播時間（ＰＴＴ）に基づいて、血圧を算出（推定）する。ここで、脈波伝播時間と血圧との間の予め定められた対応式Ｅｑは、それぞれ脈波伝播時間をＤＴ、血圧をＥＢＰと表すとき、例えば
ＥＢＰ＝α／ＤＴ２＋β                        …（Ｅｑ．１）
（ただし、α、βはそれぞれ既知の係数または定数を表す。）
で示すような、１／ＤＴ２の項を含む公知の分数関数として提供される（例えば、特開平１０−２０１７２４号公報参照）。なお、脈波伝播時間と血圧との間の予め定められた対応式Ｅｑとしては、その他、
ＥＢＰ＝α／ＤＴ２＋β／ＤＴ＋γＤＴ＋δ      …（Ｅｑ．２）
（ただし、α、β、γ、δはそれぞれ既知の係数または定数を表す。）
のように、１／ＤＴ２の項に加えて、１／ＤＴの項と、ＤＴの項とを含む式など、公知の別の対応式を用いてもよい。
【０１１５】
このようにして生体情報としての脈波信号ＰＳ１，ＰＳ２を取得し、脈波伝播時間（ＰＴＴ）を取得し、その結果に基づいて、血圧値を算出（推定）する。なお、血圧値の測定結果は、表示器５０に表示されるとともに、メモリ５１に記録される。
【０１１６】
この例では、図１０のステップＳ１６において操作部５２としてのプッシュ式スイッチによって測定停止が指示されていなければ（ステップＳ１６でＮＯ）、脈波伝播時間（ＰＴＴ）の算出（ステップＳ１４）と、血圧の算出（推定）（ステップＳ１５）とを、脈波に応じて第１、第２の脈波信号ＰＳ１，ＰＳ２が入力されるごとに周期的に繰り返す。ＣＰＵ１００は、血圧値の測定結果を、表示器５０に更新して表示するとともに、メモリ５１に蓄積して記録する。そして、図１０のステップＳ１６において測定停止が指示されると（ステップＳ１６でＹＥＳ）、測定動作を終了する。
【０１１７】
この血圧計１によれば、この脈波伝播時間（ＰＴＴ）に基づく血圧測定によって、ユーザの身体的負担が軽い状態で、血圧を長期間にわたって連続的に測定することができる。
【０１１８】
また、この血圧計１によれば、脈波伝播時間に基づく血圧測定（推定）と、オシロメトリック法による血圧測定とを、共通のベルト２０を用いて、一体の装置で行うことができる。したがって、ユーザの利便性を高めることができる。例えば、一般に、脈波伝播時間（ＰＴＴ）に基づく血圧測定（推定）を行う場合は、適宜、脈波伝播時間と血圧との間の対応式Ｅｑの校正（上の例では、実測された脈波伝播時間と血圧値に基づく係数α、β等の値の更新）を行う必要がある。ここで、この血圧計１によれば、同じ機器でオシロメトリック法による血圧測定を行い、その結果に基づいて対応式Ｅｑの校正を行うことができるので、ユーザの利便性を高めることができる。また、精度は低いけれども連続して測定できるＰＴＴ方式（脈波伝播時間に基づく血圧測定）で血圧の急激な上昇を捉え、その血圧の急激な上昇をトリガにして、より正確なオシロメトリック法での測定を開始することができる。
【０１１９】
さて、このようにして測定を行う場合、例えば図１１（Ａ）〜図１１（Ｄ）に示すように、左手首９０に対するベルト２０の装着の度に、ベルトの長手方向Ｘに関して、橈骨動脈９１に対して送受信アンテナ群４０Ｅの位置ずれが生じ得る。例えば、図１１（Ａ）は、橈骨動脈９１に対して送受信アンテナ群４０Ｅが大きく左へ位置ずれした場合を示している。図１１（Ｂ）は、橈骨動脈９１に対して送受信アンテナ群４０Ｅがやや左へ位置ずれした場合を示している。図１１（Ｃ）は、橈骨動脈９１に対して送受信アンテナ群４０Ｅがやや右へ位置ずれした場合を示している。図１１（Ｄ）は、橈骨動脈９１に対して送受信アンテナ群４０Ｅが大きく右へ位置ずれした場合を示している。なお、ベルトの長手方向Ｘに関して、橈骨動脈９１が、第１組の送受信アンテナ対（４１，４２）に含まれた送受信アンテナ対（ＴＸ２，ＲＸ２），（ＴＸ３，ＲＸ３）との間、かつ、第２組の送受信アンテナ対（４４，４３）に含まれた送受信アンテナ対（ＴＸ２，ＲＸ２），（ＴＸ３，ＲＸ３）の間に位置するときが、位置ずれ無しに相当する。
【０１２０】
（送受信アンテナ対を切り換えて選択する方式）
そこで、この血圧計１では、上述の図１０のステップＳ１２で、送信および受信を行いながら、ＣＰＵ１００がアンテナ制御部１１１，１１２として働いて、図１２（Ａ）の動作フローに示すような、送受信アンテナ対を切り換えて選択する制御を行う。以下の説明では、明示的に「選択」すると記載されていないアンテナ要素については、非選択であるものとする。
【０１２１】
まず、図１２（Ａ）のステップＳ８１に示すように、この例では、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、左側の端部に配置されている送受信アンテナ対（ＴＸ１，ＲＸ１）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、左側の端部に配置されている送受信アンテナ対（ＴＸ１，ＲＸ１）を選択する（後述の表１の「１回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１２２】
次に、図１２（Ａ）のステップＳ８２に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも基準値としての閾値α（この例では、予めα＝４０ｄＢに定められている。以下同様。）よりも大きいか否かを判断する。ここで、いずれもＳ／Ｎ≧αであれば（ステップＳ８２でＹＥＳ）、今回の送受信アンテナ対の選択が適切であると判断して、メインフロー（図１０）へリターンする。例えば、図１１（Ｄ）に示したように、橈骨動脈９１に対して送受信アンテナ群４０Ｅが大きく右へ位置ずれしている場合は、このケースに該当し得る。
【０１２３】
一方、図１２（Ａ）のステップＳ８２で脈波信号ＰＳ１，ＰＳ２のいずれかがＳ／Ｎ＜αであれば（ステップＳ８２でＮＯ）、ステップＳ８３に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ１，ＲＸ１）の右隣に配置されている送受信アンテナ対（ＴＸ２，ＲＸ２）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ１，ＲＸ１）の右隣に配置されている送受信アンテナ対（ＴＸ２，ＲＸ２）を選択する（後述の表１の「２回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１２４】
次に、図１２（Ａ）のステップＳ８４に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ８４でＹＥＳ）、今回の送受信アンテナ対の選択が適切であると判断して、メインフロー（図１０）へリターンする。例えば、図１１（Ｃ）に示したように、橈骨動脈９１に対して送受信アンテナ群４０Ｅがやや右へ位置ずれしている場合は、このケースに該当し得る。
【０１２５】
一方、図１２（Ａ）のステップＳ８４で脈波信号ＰＳ１，ＰＳ２のいずれかがＳ／Ｎ＜αであれば（ステップＳ８４でＮＯ）、ステップＳ８５に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ２，ＲＸ２）の右隣に配置されている送受信アンテナ対（ＴＸ３，ＲＸ３）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ２，ＲＸ２）の右隣に配置されている送受信アンテナ対（ＴＸ３，ＲＸ３）を選択する（後述の表１の「３回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１２６】
次に、図１２（Ａ）のステップＳ８６に示すように、ＣＰＵ１００がアンテナ制御部１１１，１１２として働いて、脈波信号ＰＳ１，ＰＳ２の信号対ノイズ比（Ｓ／Ｎ）を取得し、この取得したＳ／Ｎがいずれも閾値αよりも大きいか否かを判断する。ここで、いずれもＳ／Ｎ≧αであれば（ステップＳ８６でＹＥＳ）、今回の送受信アンテナ対の選択が適切であると判断して、メインフロー（図１０）へリターンする。例えば、図１１（Ｂ）に示したように、橈骨動脈９１に対して送受信アンテナ群４０Ｅがやや左へ位置ずれしている場合は、このケースに該当し得る。
【０１２７】
一方、図１２（Ａ）のステップＳ８６で脈波信号ＰＳ１，ＰＳ２のいずれかがＳ／Ｎ＜αであれば（ステップＳ８６でＮＯ）、ステップＳ８７に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ３，ＲＸ３）の右隣（右側の端部）に配置されている送受信アンテナ対（ＴＸ４，ＲＸ４）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ３，ＲＸ３）の右隣（右側の端部）に配置されている送受信アンテナ対（ＴＸ４，ＲＸ４）を選択する（後述の表１の「４回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１２８】
次に、図１２（Ａ）のステップＳ８８に示すように、ＣＰＵ１００がアンテナ制御部１１１，１１２として働いて、脈波信号ＰＳ１，ＰＳ２の信号対ノイズ比（Ｓ／Ｎ）を取得し、この取得したＳ／Ｎがいずれも閾値αよりも大きいか否かを判断する。ここで、いずれもＳ／Ｎ≧αであれば（ステップＳ８８でＹＥＳ）、今回の送受信アンテナ対の選択が適切であると判断して、メインフロー（図１０）へリターンする。例えば、図１１（Ａ）に示したように、橈骨動脈９１に対して送受信アンテナ群４０Ｅが大きく左へ位置ずれしている場合は、このケースに該当し得る。
【０１２９】
一方、図１２（Ａ）のステップＳ８８で脈波信号ＰＳ１，ＰＳ２のいずれかがＳ／Ｎ＜αであれば（ステップＳ８８でＮＯ）、ステップＳ８１に戻って処理を繰り返す。なお、図１２（Ａ）のステップＳ８１〜Ｓ８８の処理を予め定められた回数繰り返しても使用に適した送受信アンテナ対が見つからない場合、または、予め定められた期間が経過しても使用に適した送受信アンテナ対が見つからない場合は、この例では、ＣＰＵ１００が表示器５０にエラー表示を行って、処理を終了する。
【０１３０】
（表１）
2019022541.tif 000001
（表１において、記号「−」は、非選択であることを表している。以下の表でも同様。）
【０１３１】
このように、この図１２（Ａ）の動作フローでは、ＣＰＵ１００は、第１組の送受信アンテナ対（４１，４２）、第２組の送受信アンテナ対（４４，４３）において、それぞれ、上の表１に示すように、ベルト２０の長手方向Ｘに関して片側（この例では、左側）の端部に配置されている送受信アンテナ対（ＴＸ１，ＲＸ１）から他側（この例では、右側）の端部に配置されている送受信アンテナ対（ＴＸ４，ＲＸ４）へ順次切り換えて選択して、信号対ノイズ比（Ｓ／Ｎ）が大きくなる送受信アンテナ対を探索する。これにより、複数の送受信アンテナ対（ＴＸ１，ＲＸ１），（ＴＸ２，ＲＸ２），（ＴＸ３，ＲＸ３），（ＴＸ４，ＲＸ４）の間で、使用に適した送受信アンテナ対を確実に決めることができる。したがって、受信される信号の信号対ノイズ比（Ｓ／Ｎ）を大きくすることができ、その結果、生体情報としての脈波信号、脈波伝播時間、血圧を精度良く測定することができる。
【０１３２】
また、第１組の送受信アンテナ対（４１，４２）、第２組の送受信アンテナ対（４４，４３）において、それぞれ、送受信アンテナ対（ＴＸ１，ＲＸ１），（ＴＸ２，ＲＸ２），（ＴＸ３，ＲＸ３），（ＴＸ４，ＲＸ４）を切り換えて選択してゆく過程で、取得した或る信号対ノイズ比（Ｓ／Ｎ）が閾値αよりも大きければ、その時点で切り換えを止めて処理を完了することができる。したがって、全ての切り換えを試す場合に比して、選択の処理を迅速に完了することができる。
【０１３３】
図１３（Ａ）は、ベルトの長手方向Ｘに関して、橈骨動脈９１に対して送受信アンテナ群４０Ｅの位置ずれが生じた結果、取得された脈波信号ＰＳ１，ＰＳ２の波形を例示している。この例では、脈波信号ＰＳ１，ＰＳ２のＳ／Ｎは３４ｄＢであった。これに対して、図１３（Ｂ）は、図１２（Ａ）の動作フローによって取得された脈波信号ＰＳ１，ＰＳ２の波形を例示している。この例では、脈波信号ＰＳ１，ＰＳ２のＳ／Ｎは４７ｄＢであった。このように、受信される信号（この例では、脈波信号ＰＳ１，ＰＳ２）の信号対ノイズ比（Ｓ／Ｎ）を大きくすることができた。
【０１３４】
なお、上の例では、図１２（Ａ）のステップＳ８１〜Ｓ８８の処理を予め定められた回数繰り返しても使用に適した送受信アンテナ対が見つからない場合、または、予め定められた期間が経過しても使用に適した送受信アンテナ対が見つからない場合は、ＣＰＵ１００が表示器５０にエラー表示を行って、処理を終了するものとした。しかしながら、これに限られるものではない。例えば、図１２（Ａ）中のステップＳ８２，Ｓ８４，Ｓ８６，Ｓ８８でそれぞれＣＰＵ１００が脈波信号ＰＳ１，ＰＳ２の信号対ノイズ比（Ｓ／Ｎ）をメモリ５１に記憶させておくものとする。そして、図１２（Ａ）のステップＳ８８でＮＯであれば、図１２（Ｂ）のステップＳ８９に示すように、複数の送受信アンテナ対（ＴＸ１，ＲＸ１），（ＴＸ２，ＲＸ２），（ＴＸ３，ＲＸ３），（ＴＸ４，ＲＸ４）のうち最大のＳ／Ｎを与える送受信アンテナ対を選択するようにしてもよい。
【０１３５】
また、当然ながら、ＣＰＵ１００は、第１組の送受信アンテナ対（４１，４２）、第２組の送受信アンテナ対（４４，４３）において、それぞれ、下の表２に示すように、ベルト２０の長手方向Ｘに関して右側の端部に配置されている送受信アンテナ対（ＴＸ４，ＲＸ４）から左側の端部に配置されている送受信アンテナ対（ＴＸ１，ＲＸ１）へ順次切り換えて選択して、信号対ノイズ比（Ｓ／Ｎ）が大きくなる送受信アンテナ対を探索してもよい。この場合も、複数の送受信アンテナ対（ＴＸ１，ＲＸ１），（ＴＸ２，ＲＸ２），（ＴＸ３，ＲＸ３），（ＴＸ４，ＲＸ４）の間で、使用に適した送受信アンテナ対を確実に決めることができる。
【０１３６】
（表２）
2019022541.tif 000002
【０１３７】
また、ベルト２０が左手首９０に装着される際に、左手首９０に対する送受信アンテナ群４０Ｅの位置ずれ量は、統計的観点から、左手首９０の周方向に関して橈骨動脈９１に対応する部分を中心として正規分布の頻度を示すことが想定される。そこで、ＣＰＵ１００は、第１組の送受信アンテナ対（４１，４２）、第２組の送受信アンテナ対（４４，４３）において、それぞれ、下の表３に示すように、ベルト２０の長手方向Ｘに関して略中央部に配置されている送受信アンテナ対（ＴＸ２，ＲＸ２）から両側の端部に配置されているアンテナ要素へ交互に順次切り換えて選択して、信号対ノイズ比（Ｓ／Ｎ）が大きくなる送受信アンテナ対を探索してもよい。これにより、複数の送受信アンテナ対（ＴＸ１，ＲＸ１），（ＴＸ２，ＲＸ２），（ＴＸ３，ＲＸ３），（ＴＸ４，ＲＸ４）の間で、使用に適した送受信アンテナ対を確実かつ迅速に決めることができる。
【０１３８】
（表３）
2019022541.tif 000003
【０１３９】
また、この例では、ＣＰＵ１００は、下の表４に示すように、表３に対して左右を入れ換えて、ベルト２０の長手方向Ｘに関して略中央部に配置されている送受信アンテナ対（ＴＸ３，ＲＸ３）から両側の端部に配置されているアンテナ要素へ交互に順次切り換えて選択して、信号対ノイズ比（Ｓ／Ｎ）が大きくなる送受信アンテナ対を探索してもよい。この場合も、複数の送受信アンテナ対（ＴＸ１，ＲＸ１），（ＴＸ２，ＲＸ２），（ＴＸ３，ＲＸ３），（ＴＸ４，ＲＸ４）の間で、使用に適した送受信アンテナ対を確実かつ迅速に決めることができる。
【０１４０】
（表４）
2019022541.tif 000004
【０１４１】
上の例では、第１組の送受信アンテナ対（４１，４２）、第２組の送受信アンテナ対（４４，４３）において、互いに連動して、ベルト２０の幅方向Ｙに沿って並ぶ同じ番号の送受信アンテナ対を選択するものとした。しかしながら、これに限られるものではない。第１組の送受信アンテナ対（４１，４２）における送受信アンテナ対の選択と、第２組の送受信アンテナ対（４４，４３）における送受信アンテナ対の選択とを、互いに独立に行ってもよい。これにより、左手首９０に対するベルト２０の装着の際に、例えば図３の紙面内で、たとえ橈骨動脈９１に対してベルト２０が斜めに交差して送受信アンテナ群４０Ｅが斜めに位置ずれしたとしても、第１組の送受信アンテナ対（４１，４２）、第２組の送受信アンテナ対（４４，４３）において、それぞれ使用に適した送受信アンテナ対を選択できる。したがって、受信される信号の信号対ノイズ比（Ｓ／Ｎ）を大きくすることができ、その結果、生体情報としての脈波信号、脈波伝播時間、血圧を精度良く測定することができる。
【０１４２】
（送受信アンテナ対に対して重み付けする方式）
図１４は、この血圧計１が、図５中に示した送信アンテナ切換回路６１，６４、受信アンテナ切換回路６２，６３に代えて、送信アンテナ重み付け及び移相回路６１Ａ，６４Ａ、受信アンテナ重み付け及び移相回路６２Ａ，６３Ａを備えた例を示している。これらの送信アンテナ重み付け及び移相回路６１Ａ，６４Ａ、受信アンテナ重み付け及び移相回路６２Ａ，６３Ａは、スイッチング素子等のハードウエアで実現されてもよいし、ＣＰＵ１００内のプログラムによってソフトウエアで実現されてもよい。
【０１４３】
この例では、図１５に示すように、送信アンテナ重み付け及び移相回路６１Ａは、送信回路４６からの信号を送信アンテナ列４１に含まれた送信アンテナＴＸ１，ＴＸ２，ＴＸ３，ＴＸ４に応じて４つに均等に分波する分波回路６００と、それぞれ送信アンテナＴＸ１，ＴＸ２，ＴＸ３，ＴＸ４に応じて設けられた重み付け回路６１１，６１２，６１３，６１４と、それぞれ送信アンテナＴＸ１，ＴＸ２，ＴＸ３，ＴＸ４に応じて設けられた移相回路６２１，６２２，６２３，６２４とを備えている。重み付け回路６１１，６１２，６１３，６１４は、アンテナ制御部１１１からの送信アンテナ制御信号ＣＷＴ１に従って、分波回路６００から受けた信号の振幅をそれぞれｍ１倍、ｍ２倍、ｍ３倍、ｍ４倍（この例では、０≦ｍ１，ｍ２，ｍ３，ｍ４≦１とする。）する。これにより、送信アンテナＴＸ１，ＴＸ２，ＴＸ３，ＴＸ４にそれぞれ重みｍ１，ｍ２，ｍ３，ｍ４が付けられるようになっている。移相回路６２１，６２２，６２３，６２４は、アンテナ制御部１１１からの送信アンテナ制御信号ＣＷＴ１に従って、重み付け回路６１１，６１２，６１３，６１４から受けた信号の位相をそれぞれシフトさせる。これにより、送信アンテナＴＸ１，ＴＸ２，ＴＸ３，ＴＸ４を介して発射される電波の位相が、互いに相対的にシフトされるようになっている。
【０１４４】
受信アンテナ重み付け及び移相回路６２Ａは、受信アンテナ列４２に含まれた受信アンテナＲＸ１，ＲＸ２，ＲＸ３，ＲＸ４に応じてそれぞれ設けられた重み付け回路６３１，６３２，６３３，６３４と、それぞれ受信アンテナＲＸ１，ＲＸ２，ＲＸ３，ＲＸ４に応じて設けられた移相回路６４１，６４２，６４３，６４４と、受信アンテナＲＸ１，ＲＸ２，ＲＸ３，ＲＸ４によって受信された信号（移相回路６４１，６４２，６４３，６４４の出力）を合波する合波回路６５０とを備えている。重み付け回路６３１，６３２，６３３，６３４は、アンテナ制御部１１１からの受信アンテナ制御信号ＣＷＲ１に従って、受信アンテナＲＸ１，ＲＸ２，ＲＸ３，ＲＸ４を介して受信された信号の振幅をそれぞれｎ１倍、ｎ２倍、ｎ３倍、ｎ４倍（この例では、０≦ｎ１，ｎ２，ｎ３，ｎ４≦１とする。）する。これにより、受信アンテナＲＸ１，ＲＸ２，ＲＸ３，ＲＸ４にそれぞれ重みｎ１，ｎ２，ｎ３，ｎ４が付けられるようになっている。移相回路６４１，６４２，６４３，６４４は、アンテナ制御部１１１からの受信アンテナ制御信号ＣＷＲ１に従って、重み付け回路６３１，６３２，６３３，６３４から受けた信号の位相をそれぞれシフトさせる。これにより、受信アンテナＲＸ１，ＲＸ２，ＲＸ３，ＲＸ４を介して受信された信号の位相が、互いに相対的にシフトされるようになっている。
【０１４５】
また、図１４中に示す送信アンテナ重み付け及び移相回路６４Ａは、送信アンテナ重み付け及び移相回路６１Ａと同様に構成され、アンテナ制御部１１１からの送信アンテナ制御信号ＣＷＴ２に従って、送信アンテナＴＸ１，ＴＸ２，ＴＸ３，ＴＸ４にそれぞれ重みｍ１′，ｍ２′，ｍ３′，ｍ４′（この例では、０≦ｍ１′，ｍ２′，ｍ３′，ｍ４′≦１とする。）を付けるとともに、送信アンテナ列４４に含まれた送信アンテナＴＸ１，ＴＸ２，ＴＸ３，ＴＸ４を介して発射される電波の位相を互いに相対的にシフトさせるようになっている。また、受信アンテナ重み付け及び移相回路６３Ａは、受信アンテナ重み付け及び移相回路６２Ａと同様に構成され、アンテナ制御部１１１からの受信アンテナ制御信号ＣＷＲ２に従って、受信アンテナ列４３に含まれた受信アンテナＲＸ１，ＲＸ２，ＲＸ３，ＲＸ４を介して受信された信号にそれぞれ重みｎ１′，ｎ２′，ｎ３′，ｎ４′（この例では、０≦ｎ１′，ｎ２′，ｎ３′，ｎ４′≦１とする。）を付けるとともに、受信アンテナＲＸ１，ＲＸ２，ＲＸ３，ＲＸ４を介して受信された信号の位相を互いに相対的にシフトさせるようになっている。
【０１４６】
この例では、脈波伝播時間に基づく血圧測定のために、図１０に示したのと基本的に同じ動作フローを実行する。そして、図１０のステップＳ１２において、上述の送信および受信を行いながら、ＣＰＵ１００は、アンテナ制御部１１１，１１２として働いて、図１６Ａ〜図１６Ｃに示すように、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）に対して重み付けするとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）に対して重み付けする制御を行う。
【０１４７】
なお、図１６Ａ〜図１６Ｃの例では、簡単のため、第１組の送受信アンテナ対（４１，４２）、第２組の送受信アンテナ対（４４，４３）において、それぞれ送信アンテナＴＸ１，ＴＸ２，ＴＸ３，ＴＸ４の重みと受信アンテナＲＸ１，ＲＸ２，ＲＸ３，ＲＸ４の重みとが連動して、大（この例では、重み１）または小（この例では、重み０．１）に切り換えられるものとする。
【０１４８】
具体的には、まず、図１６ＡのステップＳ１０１に示すように、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ１，ＲＸ１），（ＴＸ２，ＲＸ２），（ＴＸ３，ＲＸ３），（ＴＸ４，ＲＸ４）の重みを大に設定する。例えば、図１７（Ａ）に模式的に示すように、第１組の送受信アンテナ対（４１，４２）では、送信アンテナＴＸ１，ＴＸ２，ＴＸ３，ＴＸ４の重みと受信アンテナＲＸ１，ＲＸ２，ＲＸ３，ＲＸ４の重みが全て大の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１４９】
次に、図１６ＡのステップＳ１０２に示すように、ＣＰＵ１００がアンテナ制御部１１１，１１２として働いて、第１組の送受信アンテナ対（４１，４２）、第２組の送受信アンテナ対（４４，４３）において、それぞれ送信アンテナＴＸ１，ＴＸ２，ＴＸ３，ＴＸ４によって発射される電波の相対的な位相および受信アンテナＲＸ１，ＲＸ２，ＲＸ３，ＲＸ４によって受信される信号の相対的な位相をシフトさせて、それらの信号を合成して得られる合成信号の信号対ノイズ比（Ｓ／Ｎ）を大きくする制御（これを「関数Ａの制御」と呼ぶ。）を行う。また、ＣＰＵ１００がアンテナ制御部１１１，１１２として働いて、第１組の送受信アンテナ対（４１，４２）、第２組の送受信アンテナ対（４４，４３）において、それぞれ送信アンテナＴＸ１，ＴＸ２，ＴＸ３，ＴＸ４によって発射される電波の相対的な重みおよび受信アンテナＲＸ１，ＲＸ２，ＲＸ３，ＲＸ４によって受信される信号の相対的な重みを変更して、それらの信号を合成して得られる合成信号の信号対ノイズ比（Ｓ／Ｎ）を大きくする制御（これを「関数Ｃの制御」と呼ぶ。）を行う。これらの関数Ａ、Ｃの制御については、後に詳述する。
【０１５０】
次に、図１６ＡのステップＳ１０３に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも基準値としての閾値α（この例では、予めα＝４０ｄＢに定められている。以下同様。）よりも大きいか否かを判断する。ここで、いずれもＳ／Ｎ≧αであれば（ステップＳ１０３でＹＥＳ）、今回の送受信アンテナ対の重み付けが適切であると判断して、メインフロー（図１０）へリターンする。
【０１５１】
一方、図１６ＡのステップＳ１０３で脈波信号ＰＳ１，ＰＳ２のいずれかがＳ／Ｎ＜αであれば（ステップＳ１０３でＮＯ）、ステップＳ１０４に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ４，ＲＸ４）の重みを切り換えて小に設定する。これにより、図１７（Ｂ）に模式的に示すように、第１組の送受信アンテナ対（４１，４２）では、送信アンテナＴＸ１，ＴＸ２，ＴＸ３と受信アンテナＲＸ１，ＲＸ２，ＲＸ３の重みが大、送信アンテナＴＸ４と受信アンテナＲＸ４の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１５２】
次に、図１６ＡのステップＳ１０５に示すように、ＣＰＵ１００がアンテナ制御部１１１，１１２として働いて、上述の関数Ａおよび関数Ｃの制御を行う。
【０１５３】
次に、ステップＳ１０６に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１０６でＹＥＳ）、今回の送受信アンテナ対の重み付けが適切であると判断して、メインフロー（図１０）へリターンする。
【０１５４】
一方、図１６ＡのステップＳ１０６で脈波信号ＰＳ１，ＰＳ２のいずれかがＳ／Ｎ＜αであれば（ステップＳ１０６でＮＯ）、ステップＳ１０７に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ３，ＲＸ３）の重みを切り換えて小に設定する。これにより、図１７（Ｃ）に模式的に示すように、第１組の送受信アンテナ対（４１，４２）では、送信アンテナＴＸ１，ＴＸ２と受信アンテナＲＸ１，ＲＸ２の重みが大、送信アンテナＴＸ３，ＴＸ４と受信アンテナＲＸ３，ＲＸ４の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１５５】
次に、図１６ＡのステップＳ１０８に示すように、ＣＰＵ１００がアンテナ制御部１１１，１１２として働いて、上述の関数Ａおよび関数Ｃの制御を行う。
【０１５６】
次に、ステップＳ１０９に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１０９でＹＥＳ）、今回の送受信アンテナ対の重み付けが適切であると判断して、メインフロー（図１０）へリターンする。例えば、図１１（Ｃ）に示したように、橈骨動脈９１に対して送受信アンテナ群４０Ｅがやや右へ位置ずれしている場合は、このケースに該当し得る。
【０１５７】
一方、図１６ＡのステップＳ１０９で脈波信号ＰＳ１，ＰＳ２のいずれかがＳ／Ｎ＜αであれば（ステップＳ１０９でＮＯ）、図１６ＢのステップＳ１１０に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ２，ＲＸ２）の重みを切り換えて小に設定する。これにより、図１７（Ｄ）に模式的に示すように、第１組の送受信アンテナ対（４１，４２）では、送信アンテナＴＸ１と受信アンテナＲＸ１の重みが大、送信アンテナＴＸ２，ＴＸ３，ＴＸ４と受信アンテナＲＸ２，ＲＸ３，ＲＸ４の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１５８】
次に、図１６ＢのステップＳ１１１に示すように、ＣＰＵ１００がアンテナ制御部１１１，１１２として働いて、上述の関数Ａおよび関数Ｃの制御を行う。
【０１５９】
次に、ステップＳ１１２に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１１２でＹＥＳ）、今回の送受信アンテナ対の重み付けが適切であると判断して、メインフロー（図１０）へリターンする。例えば、図１１（Ｄ）に示したように、橈骨動脈９１に対して送受信アンテナ群４０Ｅが大きく右へ位置ずれしている場合は、このケースに該当し得る。
【０１６０】
一方、図１６ＢのステップＳ１１２で脈波信号ＰＳ１，ＰＳ２のいずれかがＳ／Ｎ＜αであれば（ステップＳ１１２でＮＯ）、ステップＳ１１３に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ１，ＲＸ１）の重みを切り換えて小に設定するとともに、それぞれ送受信アンテナ対（ＴＸ２，ＲＸ２）の重みを切り換えて大に設定する。これにより、図１７（Ｅ）に模式的に示すように、第１組の送受信アンテナ対（４１，４２）では、送信アンテナＴＸ２と受信アンテナＲＸ２の重みが大、送信アンテナＴＸ１，ＴＸ３，ＴＸ４と受信アンテナＲＸ１，ＲＸ３，ＲＸ４の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１６１】
次に、図１６ＢのステップＳ１１４に示すように、ＣＰＵ１００がアンテナ制御部１１１，１１２として働いて、上述の関数Ａおよび関数Ｃの制御を行う。
【０１６２】
次に、ステップＳ１１５に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１１５でＹＥＳ）、今回の送受信アンテナ対の重み付けが適切であると判断して、メインフロー（図１０）へリターンする。
【０１６３】
一方、図１６ＢのステップＳ１１５で脈波信号ＰＳ１，ＰＳ２のいずれかがＳ／Ｎ＜αであれば（ステップＳ１１５でＮＯ）、ステップＳ１１６に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ３，ＲＸ３）の重みを切り換えて大に設定する。これにより、図１７（Ｆ）に模式的に示すように、第１組の送受信アンテナ対（４１，４２）では、送信アンテナＴＸ２，ＴＸ３と受信アンテナＲＸ２，ＲＸ３の重みが大、送信アンテナＴＸ１，ＴＸ４と受信アンテナＲＸ１，ＲＸ４の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１６４】
次に、図１６ＢのステップＳ１１７に示すように、ＣＰＵ１００がアンテナ制御部１１１，１１２として働いて、上述の関数Ａおよび関数Ｃの制御を行う。
【０１６５】
次に、ステップＳ１１８に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１１８でＹＥＳ）、今回の送受信アンテナ対の重み付けが適切であると判断して、メインフロー（図１０）へリターンする。例えば、図１１（Ｂ）に示したように、橈骨動脈９１に対して送受信アンテナ群４０Ｅがやや左へ位置ずれしている場合は、このケースに該当し得る。
【０１６６】
一方、図１６ＢのステップＳ１１８で脈波信号ＰＳ１，ＰＳ２のいずれかがＳ／Ｎ＜αであれば（ステップＳ１１８でＮＯ）、図１６ＣのステップＳ１１９に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ２，ＲＸ２）の重みを切り換えて小に設定するとともに、送受信アンテナ対（ＴＸ４，ＲＸ４）の重みを切り換えて大に設定する。これにより、図１７（Ｇ）に模式的に示すように、第１組の送受信アンテナ対（４１，４２）では、送信アンテナＴＸ３，ＴＸ４と受信アンテナＲＸ３，ＲＸ４の重みが大、送信アンテナＴＸ１，ＴＸ２と受信アンテナＲＸ１，ＲＸ２の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１６７】
次に、図１６ＣのステップＳ１２０に示すように、ＣＰＵ１００がアンテナ制御部１１１，１１２として働いて、上述の関数Ａおよび関数Ｃの制御を行う。
【０１６８】
次に、ステップＳ１２１に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１２１でＹＥＳ）、今回の送受信アンテナ対の重み付けが適切であると判断して、メインフロー（図１０）へリターンする。
【０１６９】
一方、図１６ＣのステップＳ１２１で脈波信号ＰＳ１，ＰＳ２のいずれかがＳ／Ｎ＜αであれば（ステップＳ１２１でＮＯ）、ステップＳ１２２に進んで、ＣＰＵ１００がアンテナ制御部１１１，１１２として働いて、第１組の送受信アンテナ対（４１，４２）、第２組の送受信アンテナ対（４４，４３）において、それぞれ送受信アンテナ対（ＴＸ３，ＲＸ３）の重みを切り換えて小に設定する。これにより、図１７（Ｈ）に模式的に示すように、第１組の送受信アンテナ対（４１，４２）では、送信アンテナＴＸ４と受信アンテナＲＸ４の重みが大、送信アンテナＴＸ１，ＴＸ２，ＴＸ３と受信アンテナＲＸ１，ＲＸ２，ＲＸ３の重みが小の状態になる。第２組の送受信アンテナ対（４４，４３）でも同様の状態になる。この重み付けに応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０１７０】
次に、図１６ＣのステップＳ１２３に示すように、ＣＰＵ１００がアンテナ制御部１１１，１１２として働いて、上述の関数Ａおよび関数Ｃの制御を行う。
【０１７１】
次に、ステップＳ１２４に示すように、ＣＰＵ１００がアンテナ制御部１１１，１１２として働いて、脈波信号ＰＳ１，ＰＳ２の信号対ノイズ比（Ｓ／Ｎ）を取得し、これらの取得したＳ／Ｎがいずれも閾値αよりも大きいか否かを判断する。ここで、いずれもＳ／Ｎ≧αであれば（ステップＳ１２４でＹＥＳ）、今回の送受信アンテナ対の重み付けが適切であると判断して、メインフロー（図１０）へリターンする。例えば、図１１（Ａ）に示したように、橈骨動脈９１に対して送受信アンテナ群４０Ｅが大きく左へ位置ずれしている場合は、このケースに該当し得る。
【０１７２】
一方、図１６ＣのステップＳ１２４で脈波信号ＰＳ１，ＰＳ２のいずれかがＳ／Ｎ＜αであれば（ステップＳ１２４でＮＯ）、ステップＳ１２５に進んで、第１組の送受信アンテナ対（４１，４２）、第２組の送受信アンテナ対（４４，４３）において、それぞれ送受信アンテナ対（ＴＸ２，ＲＸ２）の重みを切り換えて大に設定するとともに、送受信アンテナ対（ＴＸ３，ＲＸ３）の重みを切り換えて大に設定する。この後、図１６ＡのステップＳ１０１に戻って処理を繰り返す。なお、図１６Ａ〜図１６Ｃの処理を予め定められた回数繰り返しても使用に適した送受信アンテナ対が見つからない場合、または、予め定められた期間が経過しても使用に適した送受信アンテナ対が見つからない場合は、この例では、ＣＰＵ１００が表示器５０にエラー表示を行って、処理を終了する。
【０１７３】
このように、この図１６Ａ〜図１６Ｃの動作フローでは、ＣＰＵ１００は、第１組の送受信アンテナ対（４１，４２）、第２組の送受信アンテナ対（４４，４３）において、それぞれ、図１７（Ａ）〜図１７（Ｄ）に示したように、まず、ベルト２０の長手方向Ｘに関して右側の端部に配置されている送受信アンテナ対（ＴＸ４，ＲＸ４）から（ＴＸ２，ＲＸ２）まで順次切り換えて重みを小さくしてゆき、次に、図１７（Ｄ）〜図１７（Ｈ）に示したように、左側の端部に配置されている送受信アンテナ対（ＴＸ１，ＲＸ１）から右側の端部に配置されている送受信アンテナ対（ＴＸ４，ＲＸ４）へ向かって順次切り換えて相対的に重みを重くして、信号対ノイズ比（Ｓ／Ｎ）が大きくなる送受信アンテナ対を探索する。これにより、複数の送受信アンテナ対（ＴＸ１，ＲＸ１），（ＴＸ２，ＲＸ２），（ＴＸ３，ＲＸ３），（ＴＸ４，ＲＸ４）の間で、使用に適した送受信アンテナ対を確実に決めることができる。したがって、受信される信号の信号対ノイズ比（Ｓ／Ｎ）を大きくすることができ、その結果、生体情報としての脈波信号、脈波伝播時間、血圧を精度良く測定することができる。
【０１７４】
また、第１組の送受信アンテナ対（４１，４２）、第２組の送受信アンテナ対（４４，４３）において、それぞれ、送受信アンテナ対（ＴＸ１，ＲＸ１），（ＴＸ２，ＲＸ２），（ＴＸ３，ＲＸ３），（ＴＸ４，ＲＸ４）に対して重み付けしてゆく過程で、取得した或る信号対ノイズ比（Ｓ／Ｎ）が閾値αよりも大きければ、その時点で切り換えを止めて処理を完了することができる。したがって、全ての切り換えを試す場合に比して、重み付けの処理を迅速に完了することができる。
【０１７５】
上の図１６Ａ〜図１６Ｃの例では、簡単のため、第１組の送受信アンテナ対（４１，４２）、第２組の送受信アンテナ対（４４，４３）において、それぞれ送信アンテナＴＸ１，ＴＸ２，ＴＸ３，ＴＸ４の重みと受信アンテナＲＸ１，ＲＸ２，ＲＸ３，ＲＸ４の重みとが、大（この例では、重み１）または小（この例では、重み０．１）に切り換えられるものとした。しかしながら、これに限られるものではない。送信アンテナＴＸ１，ＴＸ２，ＴＸ３，ＴＸ４の重みと受信アンテナＲＸ１，ＲＸ２，ＲＸ３，ＲＸ４の重みは、０から１までの範囲で任意に設定することができる。そのようにした場合、例えば図１１（Ａ）から図１１（Ｄ）に示した４つの位置ずれの態様では、最適な重み付けとしてそれぞれ下の表５に示すような結果が得られる。すなわち、図１１（Ａ）に示したように橈骨動脈９１に対して送受信アンテナ群４０Ｅが大きく左へ位置ずれした場合、この例では、第１組の送受信アンテナ対（４１，４２）、第２組の送受信アンテナ対（４４，４３）において、それぞれ、送受信アンテナ対（ＴＸ１，ＲＸ１）の重みが０．１、送受信アンテナ対（ＴＸ２，ＲＸ２）の重みが０．２、送受信アンテナ対（ＴＸ３，ＲＸ３）の重みが０．４、送受信アンテナ対（ＴＸ４，ＲＸ４）の重みが１．０に設定されている。図１１（Ｂ）に示したように橈骨動脈９１に対して送受信アンテナ群４０Ｅがやや左へ位置ずれした場合、この例では、第１組の送受信アンテナ対（４１，４２）、第２組の送受信アンテナ対（４４，４３）において、それぞれ、送受信アンテナ対（ＴＸ１，ＲＸ１）の重みが０．１、送受信アンテナ対（ＴＸ２，ＲＸ２）の重みが０．７、送受信アンテナ対（ＴＸ３，ＲＸ３）の重みが１．０、送受信アンテナ対（ＴＸ４，ＲＸ４）の重みが０．６に設定されている。図１１（Ｃ）に示したように橈骨動脈９１に対して送受信アンテナ群４０Ｅがやや右へ位置ずれした場合、この例では、第１組の送受信アンテナ対（４１，４２）、第２組の送受信アンテナ対（４４，４３）において、それぞれ、送受信アンテナ対（ＴＸ１，ＲＸ１）の重みが１．０、送受信アンテナ対（ＴＸ２，ＲＸ２）の重みが１．０、送受信アンテナ対（ＴＸ３，ＲＸ３）の重みが０．３、送受信アンテナ対（ＴＸ４，ＲＸ４）の重みが０．１に設定されている。図１１（Ｄ）に示したように橈骨動脈９１に対して送受信アンテナ群４０Ｅが大きく右へ位置ずれした場合、この例では、第１組の送受信アンテナ対（４１，４２）、第２組の送受信アンテナ対（４４，４３）において、それぞれ、送受信アンテナ対（ＴＸ１，ＲＸ１）の重みが１．０、送受信アンテナ対（ＴＸ２，ＲＸ２）の重みが０．１、送受信アンテナ対（ＴＸ３，ＲＸ３）の重みが０．１、送受信アンテナ対（ＴＸ４，ＲＸ４）の重みが０．１に設定されている。このように、送信アンテナＴＸ１，ＴＸ２，ＴＸ３，ＴＸ４の重みと受信アンテナＲＸ１，ＲＸ２，ＲＸ３，ＲＸ４の重みを０から１までの範囲で任意に設定することによって、最適な重み付けが得られる。
【０１７６】
（表５）
2019022541.tif 000005
【０１７７】
上の図１６Ａ〜図１６Ｃの例では、簡単のため、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）の重みと、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）の重みとが、互いに連動して同じ重み付けに切り換えられるものとした。しかしながら、これに限られるものではない。第１組の送受信アンテナ対（４１，４２）における送受信アンテナ対の重み付けと、第２組の送受信アンテナ対（４４，４３）における送受信アンテナ対の重み付けとを、互いに独立に行ってもよい。これにより、左手首９０に対するベルト２０の装着の際に、例えば図３の紙面内で、たとえ橈骨動脈９１に対してベルト２０が斜めに交差して送受信アンテナ群４０Ｅが斜めに位置ずれしたとしても、第１組の送受信アンテナ対（４１，４２）、第２組の送受信アンテナ対（４４，４３）において、それぞれ使用に適した送受信アンテナ対の重み付けを設定できる。したがって、受信される信号の信号対ノイズ比（Ｓ／Ｎ）を大きくすることができ、その結果、生体情報としての脈波信号、脈波伝播時間、血圧を精度良く測定することができる。
【０１７８】
（関数Ａの制御）
図１８Ａ〜図１８Ｂは、ＣＰＵ１００が図１６Ａ〜図１６Ｃ中に示した関数Ａの制御を行う場合の動作フローを示している。なお、図１８Ａ〜図１８Ｂでは、受信アンテナＲＸ１，ＲＸ２，ＲＸ３，ＲＸ４によって受信される信号の相対的な位相をシフトさせる場合について記載しているが、送信アンテナＴＸ１，ＴＸ２，ＴＸ３，ＴＸ４によって発射される電波の相対的な位相をシフトさせる場合にも、同じ動作フローによる処理が行われる。以下の説明では、明示的に「位相をシフト」させると記載されていないアンテナ要素については、位相は固定されているものとする。
【０１７９】
具体的には、まず、図１８ＡのステップＳ１３１に示すように、受信アンテナＲＸ１の位相を固定する。続いて、ステップＳ１３２に示すように、受信アンテナＲＸ１の位相に対して受信アンテナＲＸ２の位相を相対的にシフトさせてゆく。ステップＳ１３３に示すように、この受信アンテナＲＸ２の位相をシフトさせてゆく過程でＣＰＵ１００が脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ１３３でＹＥＳ）、相対的な位相ずれの調整が完了したと判断して、関数Ａの制御を終了する。
【０１８０】
一方、ステップＳ１３３で脈波信号ＰＳ１，ＰＳ２のいずれかがＳ／Ｎ＜αであれば（ステップＳ１３３でＮＯ）、ステップＳ１３４に進んで、受信アンテナＲＸ１の位相に対して受信アンテナＲＸ２の位相が相対的に０°から３６０°まで一巡したか否かを判断し、未だ一巡していなければ（ステップＳ１３４でＮＯ）、ステップＳ１３２に戻って、ステップＳ１３２〜Ｓ１３４の処理を繰り返す。受信アンテナＲＸ２の位相が一巡したら（ステップＳ１３４でＹＥＳ）、ステップＳ１３５に進んで、受信アンテナＲＸ２の位相シフト量を０°から３６０°までの範囲内で脈波信号ＰＳ１，ＰＳ２の最大のＳ／Ｎを与えるシフト量に固定する。
【０１８１】
次に、ステップＳ１３６に示すように、受信アンテナＲＸ１の位相に対して受信アンテナＲＸ３の位相を相対的にシフトさせてゆく。ステップＳ１３７に示すように、この受信アンテナＲＸ３の位相をシフトさせてゆく過程でＣＰＵ１００が脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ１３７でＹＥＳ）、相対的な位相ずれの調整が完了したと判断して、関数Ａの制御を終了する。
【０１８２】
一方、ステップＳ１３７で脈波信号ＰＳ１，ＰＳ２のいずれかがＳ／Ｎ＜αであれば（ステップＳ１３７でＮＯ）、ステップＳ１３８に進んで、受信アンテナＲＸ１の位相に対して受信アンテナＲＸ３の位相が相対的に０°から３６０°まで一巡したか否かを判断し、未だ一巡していなければ（ステップＳ１３８でＮＯ）、ステップＳ１３６に戻って、ステップＳ１３６〜Ｓ１３８の処理を繰り返す。受信アンテナＲＸ３の位相が一巡したら（ステップＳ１３８でＹＥＳ）、図１８ＢのステップＳ１３９に進んで、受信アンテナＲＸ３の位相シフト量を０°から３６０°までの範囲内で脈波信号ＰＳ１，ＰＳ２の最大のＳ／Ｎを与えるシフト量に固定する。
【０１８３】
次に、ステップＳ１４０に示すように、受信アンテナＲＸ１の位相に対して受信アンテナＲＸ４の位相を相対的にシフトさせてゆく。ステップＳ１４１に示すように、この受信アンテナＲＸ４の位相をシフトさせてゆく過程でＣＰＵ１００が脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ１４１でＹＥＳ）、相対的な位相ずれの調整が完了したと判断して、関数Ａの制御を終了する。
【０１８４】
一方、ステップＳ１４１で脈波信号ＰＳ１，ＰＳ２のいずれかがＳ／Ｎ＜αであれば（ステップＳ１４１でＮＯ）、ステップＳ１４２に進んで、受信アンテナＲＸ１の位相に対して受信アンテナＲＸ４の位相が相対的に０°から３６０°まで一巡したか否かを判断し、未だ一巡していなければ（ステップＳ１４２でＮＯ）、ステップＳ１４０に戻って、ステップＳ１４０〜Ｓ１４２の処理を繰り返す。受信アンテナＲＸ４の位相が一巡したら（ステップＳ１４２でＹＥＳ）、ステップＳ１４３に進んで、受信アンテナＲＸ４の位相シフト量を０°から３６０°までの範囲内で脈波信号ＰＳ１，ＰＳ２の最大のＳ／Ｎを与えるシフト量に固定する。これにより、関数Ａの制御を終了する。
【０１８５】
既述のように、送信アンテナＴＸ１，ＴＸ２，ＴＸ３，ＴＸ４によって発射される電波の相対的な位相をシフトさせる場合にも、この動作フロー（関数Ａの制御）は適用される。
【０１８６】
このように、この動作フロー（関数Ａの制御）では、ＣＰＵ１００が、第１組の送受信アンテナ対（４１，４２）、第２組の送受信アンテナ対（４４，４３）において、それぞれ送信アンテナＴＸ１，ＴＸ２，ＴＸ３，ＴＸ４によって発射される電波の相対的な位相および受信アンテナＲＸ１，ＲＸ２，ＲＸ３，ＲＸ４によって受信される信号の相対的な位相をシフトさせて、それらの信号を合成して得られる合成信号としての脈波信号ＰＳ１，ＰＳ２の信号対ノイズ比（Ｓ／Ｎ）を大きくする。したがって、受信される信号の間の位相ずれが調整されて、信号対ノイズ比（Ｓ／Ｎ）をさらに向上させることができる。
【０１８７】
（関数Ｃの制御）
図１９Ａ〜図１９Ｂは、ＣＰＵ１００が図１６Ａ〜図１６Ｃ中に示した関数Ｃの制御を行う場合の動作フローを示している。この動作フローでは、メインフロー（図１０）で重み付けを最低にしているアンテナをＸ１とし、他のアンテナをＸ２，Ｘ３，Ｘ４とする。ここで、アンテナＸ１，Ｘ２，Ｘ３，Ｘ４は、送信アンテナＴＸ１，ＴＸ２，ＴＸ３，ＴＸ４、または、受信アンテナＲＸ１，ＲＸ２，ＲＸ３，ＲＸ４のいずれかである。以下の説明では、明示的に「重みを変更」すると記載されていないアンテナ要素については、重みは固定されているものとする。
【０１８８】
具体的には、まず、図１９ＡのステップＳ１５１に示すように、初期設定を行う。この初期設定では、アンテナＸ１の重みを固定するとともに、他のアンテナをＸ２，Ｘ３，Ｘ４の初期の重みを最大の重みｍ（＝１）に設定する。
【０１８９】
続いて、ステップＳ１５２に示すように、アンテナＸ２の重みを変更してゆく。ステップＳ１５３に示すように、このアンテナＸ２の重みを変更してゆく過程でＣＰＵ１００が脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ１５３でＹＥＳ）、受信される信号の間の相対的な重みの調整が完了したと判断して、関数Ｃの制御を終了する。
【０１９０】
一方、ステップＳ１５３で脈波信号ＰＳ１，ＰＳ２のいずれかがＳ／Ｎ＜αであれば（ステップＳ１５３でＮＯ）、ステップＳ１５４に進んで、アンテナＸ２の重みが０からｍまで一巡したか否かを判断し、未だ一巡していなければ（ステップＳ１５４でＮＯ）、ステップＳ１５２に戻って、ステップＳ１５２〜Ｓ１５４の処理を繰り返す。アンテナＸ２の重みが一巡したら（ステップＳ１５４でＹＥＳ）、ステップＳ１５５に進んで、アンテナＸ２の重みを０からｍまでの範囲内で脈波信号ＰＳ１，ＰＳ２の最大のＳ／Ｎを与える重みに固定する。
【０１９１】
次に、ステップＳ１５６に示すように、アンテナＸ３の重みを変更してゆく。ステップＳ１５７に示すように、このアンテナＸ３の重みを変更してゆく過程でＣＰＵ１００が脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ１５７でＹＥＳ）、受信される信号の間の相対的な重みの調整が完了したと判断して、関数Ｃの制御を終了する。
【０１９２】
一方、ステップＳ１５７で脈波信号ＰＳ１，ＰＳ２のいずれかがＳ／Ｎ＜αであれば（ステップＳ１５７でＮＯ）、ステップＳ１５８に進んで、アンテナＸ３の重みが０からｍまで一巡したか否かを判断し、未だ一巡していなければ（ステップＳ１５８でＮＯ）、ステップＳ１５６に戻って、ステップＳ１５６〜Ｓ１５８の処理を繰り返す。アンテナＸ３の重みが一巡したら（ステップＳ１５８でＹＥＳ）、図１９ＢのステップＳ１５９に進んで、アンテナＸ３の重みを０からｍまでの範囲内で脈波信号ＰＳ１，ＰＳ２の最大のＳ／Ｎを与える重みに固定する。
【０１９３】
次に、ステップＳ１６０に示すように、アンテナＸ４の重みを変更してゆく。ステップＳ１６１に示すように、このアンテナＸ４の重みを変更してゆく過程でＣＰＵ１００が脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ１６１でＹＥＳ）、受信される信号の間の相対的な重みの調整が完了したと判断して、関数Ｃの制御を終了する。
【０１９４】
一方、ステップＳ１６１で脈波信号ＰＳ１，ＰＳ２のいずれかがＳ／Ｎ＜αであれば（ステップＳ１６１でＮＯ）、ステップＳ１６２に進んで、アンテナＸ４の重みが０からｍまで一巡したか否かを判断し、未だ一巡していなければ（ステップＳ１６２でＮＯ）、ステップＳ１６０に戻って、ステップＳ１６０〜Ｓ１６２の処理を繰り返す。アンテナＸ４の重みが一巡したら（ステップＳ１６２でＹＥＳ）、ステップＳ１６３に進んで、アンテナＸ４の重みを０からｍまでの範囲内で脈波信号ＰＳ１，ＰＳ２の最大のＳ／Ｎを与える重みに固定する。これにより、関数Ｃの制御を終了する。
【０１９５】
送信アンテナＴＸ１，ＴＸ２，ＴＸ３，ＴＸ４によって発射される電波の間の相対的な重み、および、受信アンテナＲＸ１，ＲＸ２，ＲＸ３，ＲＸ４によってそれぞれ受信される信号の間の相対的な重みを変更する場合に、この動作フロー（関数Ｃの制御）は適用される。
【０１９６】
このように、この動作フロー（関数Ｃの制御）では、ＣＰＵ１００が、第１組の送受信アンテナ対（４１，４２）、第２組の送受信アンテナ対（４４，４３）において、それぞれ送信アンテナＴＸ１，ＴＸ２，ＴＸ３，ＴＸ４によって発射される電波の相対的な重みおよび受信アンテナＲＸ１，ＲＸ２，ＲＸ３，ＲＸ４によって受信される信号の相対的な重みを変更して、それらの信号を合成して得られる合成信号としての脈波信号ＰＳ１，ＰＳ２の信号対ノイズ比（Ｓ／Ｎ）を大きくする。したがって、受信される信号の間の相対的な重みが調整されて、信号対ノイズ比（Ｓ／Ｎ）をさらに向上させることができる。
【０１９７】
（２行２列の送受信アンテナに対して重み付けする例）
この例では、送受信部４０の送受信アンテナ群４０Ｅのうち、互いに離間して並ぶ２行２列のアンテナ要素として、図２１（Ａ）に示すように、第１組の送受信アンテナ対（４１，４２）における、ベルト２０の長手方向Ｘに沿って並ぶ２つの送信アンテナＴＸ１，ＴＸ２と、ベルト２０の長手方向Ｘに沿って互いに離間して並ぶ２つの受信アンテナＲＸ１，ＲＸ２とに、注目するものとする。
【０１９８】
この例では、脈波伝播時間に基づく血圧測定のために、図１０に示したのと基本的に同じ動作フローを実行する。そして、図１０のステップＳ１２において、上述の送信および受信を行いながら、ＣＰＵ１００は、アンテナ制御部１１１として働いて、図２０Ａ〜図２０Ｃに示すように、上記２行２列のアンテナ要素に対して重み付けする制御を行う。
【０１９９】
なお、図２０Ａ〜図２０Ｃの例では、送信アンテナＴＸ１，ＴＸ２および受信アンテナＲＸ１，ＲＸ２の重みは、大（この例では、重み１）または小（この例では、重み０．１）に切り換えられるものとする。
【０２００】
具体的には、まず、図２０ＡのステップＳ１７１に示すように、ＣＰＵ１００がアンテナ制御部１１１として働いて、第１組の送受信アンテナ対（４１，４２）において、送信アンテナＴＸ１，ＴＸ２および受信アンテナＲＸ１，ＲＸ２の重みを全て大に設定する。図２１（Ａ）は、この重み付けの状態を模式的に示している。この重み付けに応じて、ＣＰＵ１００が脈波検出部１０１として働いて、上述の橈骨動脈９１の対応する部分の脈波を表す脈波信号ＰＳ１を取得する。
【０２０１】
次に、図２０ＡのステップＳ１７２に示すように、ＣＰＵ１００がアンテナ制御部１１１として働いて、送信アンテナＴＸ１，ＴＸ２によって発射される電波の相対的な位相および受信アンテナＲＸ１，ＲＸ２によって受信される信号の相対的な位相をシフトさせて、それらの信号を合成して得られる合成信号の信号対ノイズ比（Ｓ／Ｎ）を大きくする制御（これを「関数Ｂの制御」と呼ぶ。）を行う。この関数Ｂの制御については、後に詳述する。また、送信アンテナＴＸ１，ＴＸ２によって発射される電波の相対的な重みおよび受信アンテナＲＸ１，ＲＸ２によって受信される信号の相対的な重みを変更して、それらの信号を合成して得られる合成信号の信号対ノイズ比（Ｓ／Ｎ）を大きくする制御（関数Ｃの制御）を行う。この関数Ｃの制御は、既に図１９Ａ〜図１９Ｂを用いて説明した制御と同じである。
【０２０２】
次に、図２０ＡのステップＳ１７３に示すように、ＣＰＵ１００がアンテナ制御部１１１として働いて、脈波信号ＰＳ１の信号対ノイズ比（Ｓ／Ｎ）を取得し、この取得したＳ／Ｎが基準値としての閾値α（この例では、予めα＝４０ｄＢに定められている。以下同様。）よりも大きいか否かを判断する。ここで、Ｓ／Ｎ≧αであれば（ステップＳ１７３でＹＥＳ）、今回の送受信アンテナ対の重み付けが適切であると判断して、メインフロー（図１０）へリターンする。
【０２０３】
一方、図２０ＡのステップＳ１７３でＳ／Ｎ＜αであれば（ステップＳ１７３でＮＯ）、ステップＳ１７４に進んで、ＣＰＵ１００がアンテナ制御部１１１として働いて、第１組の送受信アンテナ対（４１，４２）において、受信アンテナＲＸ２の重みを切り換えて小に設定する。これにより、図２１（Ｂ）に模式的に示すように、第１組の送受信アンテナ対（４１，４２）では、送信アンテナＴＸ１，ＴＸ２と受信アンテナＲＸ１の重みが大、受信アンテナＲＸ２の重みが小の状態になる。この重み付けに応じて、ＣＰＵ１００が脈波検出部１０１として働いて、上述の橈骨動脈９１の対応する部分の脈波を表す脈波信号ＰＳ１を取得する。
【０２０４】
次に、図２０ＡのステップＳ１７５に示すように、ＣＰＵ１００がアンテナ制御部１１１として働いて、上述の関数Ｂおよび関数Ｃの制御を行う。
【０２０５】
次に、ステップＳ１７６に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１７６でＹＥＳ）、今回の送受信アンテナ対の重み付けが適切であると判断して、メインフロー（図１０）へリターンする。
【０２０６】
一方、図２０ＡのステップＳ１７６でＳ／Ｎ＜αであれば（ステップＳ１７６でＮＯ）、ステップＳ１７７に進んで、ＣＰＵ１００がアンテナ制御部１１１として働いて、受信アンテナＲＸ１の重みを切り換えて小に設定するとともに、受信アンテナＲＸ２の重みを切り換えて大に設定する。これにより、図２１（Ｃ）に模式的に示すように、第１組の送受信アンテナ対（４１，４２）において、送信アンテナＴＸ１，ＴＸ２と受信アンテナＲＸ２の重みが大、受信アンテナＲＸ１の重みが小の状態になる。この重み付けに応じて、ＣＰＵ１００が脈波検出部１０１として働いて、上述の橈骨動脈９１の対応する部分の脈波を表す脈波信号ＰＳ１を取得する。
【０２０７】
次に、図２０ＡのステップＳ１７８に示すように、ＣＰＵ１００がアンテナ制御部１１１として働いて、上述の関数Ｂおよび関数Ｃの制御を行う。
【０２０８】
次に、ステップＳ１７９に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１７９でＹＥＳ）、今回の送受信アンテナ対の重み付けが適切であると判断して、メインフロー（図１０）へリターンする。
【０２０９】
一方、図２０ＡのステップＳ１７９でＳ／Ｎ＜αであれば（ステップＳ１７９でＮＯ）、図２０ＢのステップＳ１８０に進んで、ＣＰＵ１００がアンテナ制御部１１１として働いて、送信アンテナＴＸ２の重みを切り換えて小に設定するとともに、受信アンテナＲＸ１の重みを切り換えて大に設定する。これにより、図２１（Ｄ）に模式的に示すように、第１組の送受信アンテナ対（４１，４２）において、送信アンテナＴＸ１と受信アンテナＲＸ１，ＲＸ２の重みが大、送信アンテナＴＸ２の重みが小の状態になる。この重み付けに応じて、ＣＰＵ１００が脈波検出部１０１として働いて、上述の橈骨動脈９１の対応する部分の脈波を表す脈波信号ＰＳ１を取得する。
【０２１０】
次に、図２０ＢのステップＳ１８１に示すように、ＣＰＵ１００がアンテナ制御部１１１として働いて、上述の関数Ｂおよび関数Ｃの制御を行う。
【０２１１】
次に、ステップＳ１８２に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１８２でＹＥＳ）、今回の送受信アンテナ対の重み付けが適切であると判断して、メインフロー（図１０）へリターンする。
【０２１２】
一方、図２０ＢのステップＳ１８２でＳ／Ｎ＜αであれば（ステップＳ１８２でＮＯ）、ステップＳ１８３に進んで、ＣＰＵ１００がアンテナ制御部１１１として働いて、受信アンテナＲＸ２の重みを切り換えて小に設定する。これにより、図２１（Ｅ）に模式的に示すように、第１組の送受信アンテナ対（４１，４２）において、送信アンテナＴＸ１と受信アンテナＲＸ１の重みが大、送信アンテナＴＸ２と受信アンテナＲＸ２の重みが小の状態になる（第１の設定）。この重み付けに応じて、ＣＰＵ１００が脈波検出部１０１として働いて、上述の橈骨動脈９１の対応する部分の脈波を表す脈波信号ＰＳ１を取得する。
【０２１３】
次に、図２０ＢのステップＳ１８４に示すように、ＣＰＵ１００がアンテナ制御部１１１として働いて、上述の関数Ｂおよび関数Ｃの制御を行う。
【０２１４】
次に、ステップＳ１８５に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１８５でＹＥＳ）、今回の送受信アンテナ対の重み付けが適切であると判断して、メインフロー（図１０）へリターンする。例えば、図２１（Ｅ）中に直線９１ｈで示すように、橈骨動脈９１が送信アンテナＴＸ１と受信アンテナＲＸ１に対応している場合は、このケースに該当し得る。
【０２１５】
一方、図２０ＢのステップＳ１８５でＳ／Ｎ＜αであれば（ステップＳ１８５でＮＯ）、ステップＳ１８６に進んで、ＣＰＵ１００がアンテナ制御部１１１として働いて、受信アンテナＲＸ１の重みを切り換えて小に設定するとともに、受信アンテナＲＸ２の重みを切り換えて大に設定する。これにより、図２１（Ｆ）に模式的に示すように、第１組の送受信アンテナ対（４１，４２）において、送信アンテナＴＸ１と受信アンテナＲＸ２の重みが大、送信アンテナＴＸ２と受信アンテナＲＸ１の重みが小の状態になる（第３の設定）。この重み付けに応じて、ＣＰＵ１００が脈波検出部１０１として働いて、上述の橈骨動脈９１の対応する部分の脈波を表す脈波信号ＰＳ１を取得する。
【０２１６】
次に、図２０ＢのステップＳ１８７に示すように、ＣＰＵ１００がアンテナ制御部１１１として働いて、上述の関数Ｂおよび関数Ｃの制御を行う。
【０２１７】
次に、ステップＳ１８８に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１８８でＹＥＳ）、今回の送受信アンテナ対の重み付けが適切であると判断して、メインフロー（図１０）へリターンする。例えば、図２１（Ｆ）中に直線９１ｉで示すように、橈骨動脈９１が斜めに送信アンテナＴＸ１と受信アンテナＲＸ２に対応している場合は、このケースに該当し得る。
【０２１８】
一方、図２０ＢのステップＳ１８８でＳ／Ｎ＜αであれば（ステップＳ１８８でＮＯ）、図２０ＣのステップＳ１８９に進んで、ＣＰＵ１００がアンテナ制御部１１１として働いて、送信アンテナＴＸ１の重みを切り換えて小に設定するとともに、送信アンテナＴＸ２と受信アンテナＲＸ１の重みを切り換えて大に設定する。これにより、図２１（Ｇ）に模式的に示すように、第１組の送受信アンテナ対（４１，４２）において、送信アンテナＴＸ２と受信アンテナＲＸ１，ＲＸ２の重みが大、送信アンテナＴＸ１の重みが小の状態になる。この重み付けに応じて、ＣＰＵ１００が脈波検出部１０１として働いて、上述の橈骨動脈９１の対応する部分の脈波を表す脈波信号ＰＳ１を取得する。
【０２１９】
次に、図２０ＣのステップＳ１９０に示すように、ＣＰＵ１００がアンテナ制御部１１１として働いて、上述の関数Ｂおよび関数Ｃの制御を行う。
【０２２０】
次に、ステップＳ１９１に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１９１でＹＥＳ）、今回の送受信アンテナ対の重み付けが適切であると判断して、メインフロー（図１０）へリターンする。
【０２２１】
一方、図２０ＣのステップＳ１９１でＳ／Ｎ＜αであれば（ステップＳ１９１でＮＯ）、ステップＳ１９２に進んで、ＣＰＵ１００がアンテナ制御部１１１として働いて、受信アンテナＲＸ２の重みを切り換えて小に設定する。これにより、図２１（Ｈ）に模式的に示すように、第１組の送受信アンテナ対（４１，４２）において、送信アンテナＴＸ２と受信アンテナＲＸ１の重みが大、送信アンテナＴＸ１と受信アンテナＲＸ２の重みが小の状態になる（第４の設定）。この重み付けに応じて、ＣＰＵ１００が脈波検出部１０１として働いて、上述の橈骨動脈９１の対応する部分の脈波を表す脈波信号ＰＳ１を取得する。
【０２２２】
次に、図２０ＣのステップＳ１９３に示すように、ＣＰＵ１００がアンテナ制御部１１１として働いて、上述の関数Ｂおよび関数Ｃの制御を行う。
【０２２３】
次に、ステップＳ１９４に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１９４でＹＥＳ）、今回の送受信アンテナ対の重み付けが適切であると判断して、メインフロー（図１０）へリターンする。例えば、図２１（Ｈ）中に直線９１ｊで示すように、橈骨動脈９１が斜めに受信アンテナＲＸ２と送信アンテナＴＸ１に対応している場合は、このケースに該当し得る。
【０２２４】
一方、図２０ＣのステップＳ１９４でＳ／Ｎ＜αであれば（ステップＳ１９４でＮＯ）、ステップＳ１９５に進んで、ＣＰＵ１００がアンテナ制御部１１１として働いて、受信アンテナＲＸ２の重みを切り換えて大に設定するとともに、受信アンテナＲＸ１の重みを切り換えて小に設定する。これにより、図２１（Ｉ）に模式的に示すように、第１組の送受信アンテナ対（４１，４２）において、送信アンテナＴＸ２と受信アンテナＲＸ２の重みが大、送信アンテナＴＸ１と受信アンテナＲＸ１の重みが小の状態になる（第２の設定）。この重み付けに応じて、ＣＰＵ１００が脈波検出部１０１として働いて、上述の橈骨動脈９１の対応する部分の脈波を表す脈波信号ＰＳ１を取得する。
【０２２５】
次に、図２０ＣのステップＳ１９６に示すように、ＣＰＵ１００がアンテナ制御部１１１として働いて、上述の関数Ｂおよび関数Ｃの制御を行う。
【０２２６】
次に、ステップＳ１９７に示すように、ＣＰＵ１００がアンテナ制御部１１１として働いて、脈波信号ＰＳ１の信号対ノイズ比（Ｓ／Ｎ）を取得し、この取得したＳ／Ｎが閾値αよりも大きいか否かを判断する。ここで、Ｓ／Ｎ≧αであれば（ステップＳ１９７でＹＥＳ）、今回の送受信アンテナ対の重み付けが適切であると判断して、メインフロー（図１０）へリターンする。例えば、図２１（Ｉ）中に直線９１ｋで示すように、橈骨動脈９１が送信アンテナＴＸ２と受信アンテナＲＸ２に対応している場合は、このケースに該当し得る。
【０２２７】
一方、図２０ＣのステップＳ１９７でＳ／Ｎ＜αであれば（ステップＳ１９７でＮＯ）、図２０ＡのステップＳ１７１に戻って処理を繰り返す。なお、図２０Ａ〜図２０Ｃの処理を予め定められた回数繰り返しても使用に適した送受信アンテナ対の重み付けが見つからない場合、または、予め定められた期間が経過しても使用に適した送受信アンテナ対の重み付けが見つからない場合は、この例では、ＣＰＵ１００が表示器５０にエラー表示を行って、処理を終了する。
【０２２８】
このように、この図２０Ａ〜図２０Ｃの動作フローでは、ＣＰＵ１００は、２つの送信アンテナＴＸ１，ＴＸ２と、ベルト２０の長手方向Ｘに沿って互いに離間して並ぶ２つの受信アンテナＲＸ１，ＲＸ２のうち、ベルト２０の長手方向Ｘに関して左側に配置された第１の送信アンテナＴＸ１と第１の受信アンテナＲＸ１に対して相対的に重みを重くする第１の設定（図２１（Ｅ）の設定）と、ベルト２０の長手方向Ｘに関して右側に配置された第２の送信アンテナＴＸ２と第２の受信アンテナＲＸ２に対して相対的に重みを重くする第２の設定（図２１（Ｉ）の設定）とを切り換えて実行する。これにより、ベルト２０が左手首９０に装着される際に、たとえ左手首９０に対して周方向に関して送受信アンテナ群４０Ｅの位置ずれが生じたとしても、いずれかの送受信アンテナ対（ＴＸ１，ＲＸ１），（ＴＸ２，ＲＸ２）によって、受信される信号の信号対ノイズ比（Ｓ／Ｎ）を大きくすることができ、その結果、生体情報としての脈波信号を精度良く測定することができる。また、ＣＰＵ１００は、２つの送信アンテナＴＸ１，ＴＸ２と、ベルト２０の長手方向Ｘに沿って互いに離間して並ぶ２つの受信アンテナＲＸ１，ＲＸ２のうち、第１の送信アンテナＴＸ１と第２の受信アンテナＲＸ２に対して相対的に重みを重くする第３の設定（図２１（Ｆ）の設定）と、第２の送信アンテナＴＸ２と第１の受信アンテナＲＸ１に対して相対的に重みを重くする第４の設定（図２１（Ｈ）の設定）とを切り換えて実行する。これにより、ベルト２０が左手首９０に装着される際に、例えば図３の紙面内で、たとえ橈骨動脈９１に対してベルト２０が斜めに交差して送受信アンテナ群４０Ｅが斜めに位置ずれしたとしても、いずれかの送受信アンテナ対（ＴＸ１，ＲＸ２），（ＴＸ２，ＲＸ１）によって、受信される信号の信号対ノイズ比（Ｓ／Ｎ）を大きくすることができ、その結果、生体情報としての脈波信号を精度良く測定することができる。
【０２２９】
なお、図２０Ａ〜図２０Ｃの動作フローの対象となるアンテナ要素の行列は２行２列に限られるものではなく、多数行多数列であってもよい。その場合、ＣＰＵ１００は、上記多数行多数列に含まれた１組または複数組の２行２列のアンテナ要素について上述の切り換えを実行する。また、制御の対象となる２行２列のアンテナ要素は互いに隣り合っていることを要さず、それらのアンテナ要素の間に別のアンテナ要素が配置されていてもよい。
【０２３０】
（関数Ｂの制御）
図２２Ａ〜図２２Ｂは、ＣＰＵ１００が図２０Ａ〜図２０Ｃ中に示した関数Ｂの制御を行う場合の動作フローを示している。
【０２３１】
具体的には、まず、図２２ＡのステップＳ２０１に示すように、送信アンテナＴＸ１の位相を固定する。続いて、ステップＳ２０２に示すように、送信アンテナＴＸ１の位相に対して送信アンテナＴＸ２の位相を相対的にシフトさせてゆく。ステップＳ２０３に示すように、この送信アンテナＴＸ２の位相をシフトさせてゆく過程でＣＰＵ１００が脈波信号ＰＳ１の信号対ノイズ比（Ｓ／Ｎ）を取得してメモリ５１に記憶させるとともに、この取得したＳ／Ｎがいずれも閾値αよりも大きいか否かを判断する。ここで、Ｓ／Ｎ≧αであれば（ステップＳ２０３でＹＥＳ）、相対的な位相ずれの調整が完了したと判断して、関数Ｂの制御を終了する。
【０２３２】
一方、ステップＳ２０３で脈波信号ＰＳ１がＳ／Ｎ＜αであれば（ステップＳ２０３でＮＯ）、ステップＳ２０４に進んで、送信アンテナＴＸ１の位相に対して送信アンテナＴＸ２の位相が相対的に０°から３６０°まで一巡したか否かを判断し、未だ一巡していなければ（ステップＳ２０４でＮＯ）、ステップＳ２０２に戻って、ステップＳ２０２〜Ｓ２０４の処理を繰り返す。送信アンテナＴＸ２の位相が一巡したら（ステップＳ２０４でＹＥＳ）、ステップＳ２０５に進んで、送信アンテナＴＸ２の位相シフト量を０°から３６０°までの範囲内で脈波信号ＰＳ１の最大のＳ／Ｎを与えるシフト量に固定する。
【０２３３】
次に、ステップＳ２０６に示すように、送信アンテナＴＸ１の位相に対して受信アンテナＲＸ１の位相を相対的にシフトさせてゆく。ステップＳ２０７に示すように、この受信アンテナＲＸ１の位相をシフトさせてゆく過程でＣＰＵ１００が脈波信号ＰＳ１の信号対ノイズ比（Ｓ／Ｎ）を取得してメモリ５１に記憶させるとともに、この取得したＳ／Ｎがいずれも閾値αよりも大きいか否かを判断する。ここで、Ｓ／Ｎ≧αであれば（ステップＳ２０７でＹＥＳ）、相対的な位相ずれの調整が完了したと判断して、関数Ｂの制御を終了する。
【０２３４】
一方、ステップＳ２０７で脈波信号ＰＳ１がＳ／Ｎ＜αであれば（ステップＳ２０７でＮＯ）、ステップＳ２０８に進んで、送信アンテナＴＸ１の位相に対して受信アンテナＲＸ１の位相が相対的に０°から３６０°まで一巡したか否かを判断し、未だ一巡していなければ（ステップＳ２０８でＮＯ）、ステップＳ２０６に戻って、ステップＳ２０６〜Ｓ２０８の処理を繰り返す。受信アンテナＲＸ１の位相が一巡したら（ステップＳ２０８でＹＥＳ）、図２２ＢのステップＳ２０９に進んで、受信アンテナＲＸ１の位相シフト量を０°から３６０°までの範囲内で脈波信号ＰＳ１の最大のＳ／Ｎを与えるシフト量に固定する。
【０２３５】
次に、ステップＳ２１０に示すように、送信アンテナＴＸ１の位相に対して受信アンテナＲＸ２の位相を相対的にシフトさせてゆく。ステップＳ２１１に示すように、この受信アンテナＲＸ２の位相をシフトさせてゆく過程でＣＰＵ１００が脈波信号ＰＳ１の信号対ノイズ比（Ｓ／Ｎ）を取得してメモリ５１に記憶させるとともに、この取得したＳ／Ｎがいずれも閾値αよりも大きいか否かを判断する。ここで、Ｓ／Ｎ≧αであれば（ステップＳ２１１でＹＥＳ）、相対的な位相ずれの調整が完了したと判断して、関数Ｂの制御を終了する。
【０２３６】
一方、ステップＳ２１１で脈波信号ＰＳ１がＳ／Ｎ＜αであれば（ステップＳ２１１でＮＯ）、ステップＳ２１２に進んで、送信アンテナＴＸ１の位相に対して受信アンテナＲＸ２の位相が相対的に０°から３６０°まで一巡したか否かを判断し、未だ一巡していなければ（ステップＳ２１２でＮＯ）、ステップＳ２１０に戻って、ステップＳ２１０〜Ｓ２１２の処理を繰り返す。受信アンテナＲＸ４の位相が一巡したら（ステップＳ２１２でＹＥＳ）、ステップＳ２１３に進んで、受信アンテナＲＸ４の位相シフト量を０°から３６０°までの範囲内で脈波信号ＰＳ１の最大のＳ／Ｎを与えるシフト量に固定する。これにより、関数Ｂの制御を終了する。
【０２３７】
このように、この動作フロー（関数Ｂの制御）では、ＣＰＵ１００が、送信アンテナＴＸ１，ＴＸ２によって発射される電波の相対的な位相および受信アンテナＲＸ１，ＲＸ２によって受信される信号の相対的な位相をシフトさせて、それらの信号を合成して得られる合成信号としての脈波信号ＰＳ１の信号対ノイズ比（Ｓ／Ｎ）を大きくする。したがって、受信される信号の間の位相ずれが調整されて、信号対ノイズ比（Ｓ／Ｎ）をさらに向上させることができる。
【０２３８】
（送受信アンテナ対を動的に探索する方式）
上述の図１２、図１６Ａ〜図１６Ｃ、図２０Ａ〜図２０Ｃの動作フローは、いずれも、アンテナ要素を切り換えて選択又は重み付けする順番が、予め定められているものとした。しかしながら、これに限られるものでなく、アンテナ要素を切り換えて選択又は重み付けする順番を、信号対ノイズ比（Ｓ／Ｎ）の状況に応じて決めてもよい。図２３Ａ〜図２３Ｃは、図３中に示した送受信アンテナ群４０Ｅを対象として、信号対ノイズ比（Ｓ／Ｎ）の状況に応じてアンテナ要素を切り換えて選択する場合の動作フローを例示している。
【０２３９】
まず、ＣＰＵ１００がアンテナ制御部１１１，１１２として働いて、図２３ＡのステップＳ２２１に示すように、この例では、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、ベルト２０の長手方向Ｘに関して略中央部に配置されている送受信アンテナ対（ＴＸ３，ＲＸ３）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、ベルト２０の長手方向Ｘに関して略中央部に配置されている送受信アンテナ対（ＴＸ３，ＲＸ３）を選択する（後述の表６の「１回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０２４０】
次に、図２３ＡのステップＳ２２２に示すように、ＣＰＵ１００がアンテナ制御部１１１，１１２として働いて、脈波信号ＰＳ１，ＰＳ２の信号対ノイズ比（Ｓ／Ｎ）を取得してメモリ５１に記憶させるとともに、これらの取得したＳ／Ｎがいずれも基準値としての閾値α（この例では、予めα＝４０ｄＢに定められている。以下同様。）よりも大きいか否かを判断する。ここで、いずれもＳ／Ｎ≧αであれば（ステップＳ２２２でＹＥＳ）、今回の送受信アンテナ対の選択が適切であると判断して、メインフロー（図１０）へリターンする。
【０２４１】
一方、図２３ＡのステップＳ２２２で脈波信号ＰＳ１，ＰＳ２のいずれかがＳ／Ｎ＜αであれば（ステップＳ２２２でＮＯ）、ステップＳ２２３に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ３，ＲＸ３）の左隣に配置されている送受信アンテナ対（ＴＸ２，ＲＸ２）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ３，ＲＸ３）の左隣に配置されている送受信アンテナ対（ＴＸ２，ＲＸ２）を選択する（後述の表６の「２回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０２４２】
次に、図２３ＡのステップＳ２２４に示すように、ＣＰＵ１００がアンテナ制御部１１１，１１２として働いて、脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ２２４でＹＥＳ）、今回の送受信アンテナ対の選択が適切であると判断して、メインフロー（図１０）へリターンする。
【０２４３】
一方、図２３ＡのステップＳ２２４で脈波信号ＰＳ１，ＰＳ２のいずれかがＳ／Ｎ＜αであれば（ステップＳ２２４でＮＯ）、ステップＳ２２５に進む。そして、ＣＰＵ１００がアンテナ制御部１１１，１１２として働いて、メモリ５１に記憶された過去の選択に応じた脈波信号ＰＳ１，ＰＳ２の信号対ノイズ比（この例では、ステップＳ２２１における送受信アンテナ対（ＴＸ３，ＲＸ３）の選択に応じた信号対ノイズ比であり、これをＳ／Ｎ（ＴＸ３，ＲＸ３）と表す。）よりも、今回の選択に応じた脈波信号ＰＳ１，ＰＳ２の信号対ノイズ比（この例では、ステップＳ２２３における送受信アンテナ対（ＴＸ２，ＲＸ２）の選択に応じた信号対ノイズ比であり、これをＳ／Ｎ（ＴＸ２，ＲＸ２）と表す。）が、大きいか否かを判断する。
【０２４４】
ここで、脈波信号ＰＳ１，ＰＳ２のいずれもＳ／Ｎ（ＴＸ３，ＲＸ３）＜Ｓ／Ｎ（ＴＸ２，ＲＸ２）であれば（ステップＳ２２５でＹＥＳ）、ＣＰＵ１００は、橈骨動脈９１よりも送受信アンテナ対（ＴＸ２，ＲＸ２）が右へ位置ずれしている可能性が高いと判断する。そこで、ステップＳ２２６に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ２，ＲＸ２）の左隣に配置されている送受信アンテナ対（ＴＸ１，ＲＸ１）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ２，ＲＸ２）の左隣に配置されている送受信アンテナ対（ＴＸ１，ＲＸ１）を選択する（後述の表６の「３回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０２４５】
次に、ステップＳ２２７に示すように、ＣＰＵ１００がアンテナ制御部１１１，１１２として働いて、脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ２２７でＹＥＳ）、今回の送受信アンテナ対の選択が適切であると判断して、メインフロー（図１０）へリターンする。
【０２４６】
一方、図２３ＡのステップＳ２２７で脈波信号ＰＳ１，ＰＳ２のいずれかがＳ／Ｎ＜αであれば（ステップＳ２２７でＮＯ）、図２３ＢのステップＳ２２８に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、残った送受信アンテナ対（ＴＸ４，ＲＸ４）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、残った送受信アンテナ対（ＴＸ４，ＲＸ４）を選択する（後述の表６の「４回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０２４７】
次に、図２３ＢのステップＳ２２９に示すように、ＣＰＵ１００がアンテナ制御部１１１，１１２として働いて、脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ２２９でＹＥＳ）、今回の送受信アンテナ対の選択が適切であると判断して、メインフロー（図１０）へリターンする。
【０２４８】
一方、図２３ＢのステップＳ２２９で脈波信号ＰＳ１，ＰＳ２のいずれかがＳ／Ｎ＜αであれば（ステップＳ２２９でＮＯ）、図２３ＡのステップＳ２２１に戻って処理を繰り返す。
【０２４９】
上の流れとは逆に、図２３ＡのステップＳ２２５で脈波信号ＰＳ１，ＰＳ２のいずれもＳ／Ｎ（ＴＸ３，ＲＸ３）＞Ｓ／Ｎ（ＴＸ２，ＲＸ２）であれば（ステップＳ２２５でＮＯ）、ＣＰＵ１００は、橈骨動脈９１よりも送受信アンテナ対（ＴＸ３，ＲＸ３）が左へ位置ずれしている可能性が高いと判断する。そこで、図２３ＣのステップＳ２３０に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ３，ＲＸ３）の右隣に配置されている送受信アンテナ対（ＴＸ４，ＲＸ４）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、（ＴＸ３，ＲＸ３）の右隣に配置されている送受信アンテナ対（ＴＸ４，ＲＸ４）を選択する（後述の表７の「３回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。なお、表７における「１回目」、「２回目」の選択は、それぞれ表６におけるのと同じになっている。
【０２５０】
次に、図２３ＣのステップＳ２３１に示すように、ＣＰＵ１００がアンテナ制御部１１１，１１２として働いて、脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ２３１でＹＥＳ）、今回の送受信アンテナ対の選択が適切であると判断して、メインフロー（図１０）へリターンする。
【０２５１】
一方、図２３ＣのステップＳ２３１で脈波信号ＰＳ１，ＰＳ２のいずれかがＳ／Ｎ＜αであれば（ステップＳ２３１でＮＯ）、ステップＳ２３２に進んで、ＣＰＵ１００がアンテナ制御部１１１，１１２として働いて、第１組の送受信アンテナ対（４１，４２）に含まれた送受信アンテナ対（ＴＸ１，ＲＸ１），（ＴＸ２，ＲＸ２），（ＴＸ３，ＲＸ３），（ＴＸ４，ＲＸ４）のうち、残った送受信アンテナ対（ＴＸ１，ＲＸ１）を選択するとともに、第２組の送受信アンテナ対（４４，４３）に含まれた送受信アンテナ対（ＴＸ１，ＲＸ１），（ＴＸ２，ＲＸ２），（ＴＸ３，ＲＸ３），（ＴＸ４，ＲＸ４）のうち、残った送受信アンテナ対（ＴＸ１，ＲＸ１）を選択する（後述の表７の「４回目」に相当）。この選択に応じて、ＣＰＵ１００が脈波検出部１０１，１０２として働いて、上述の橈骨動脈９１の上流側部分９１ｕ、下流側部分９１ｄの脈波を表す脈波信号ＰＳ１，ＰＳ２を取得する。
【０２５２】
次に、図２３ＣのステップＳ２３３に示すように、ＣＰＵ１００がアンテナ制御部１１１，１１２として働いて、脈波信号ＰＳ１，ＰＳ２の信号対ノイズ比（Ｓ／Ｎ）を取得してメモリ５１に記憶させるとともに、これらの取得したＳ／Ｎがいずれも閾値αよりも大きいか否かを判断する。ここで、いずれもＳ／Ｎ≧αであれば（ステップＳ２３３でＹＥＳ）、今回の送受信アンテナ対の選択が適切であると判断して、メインフロー（図１０）へリターンする。
【０２５３】
一方、図２３ＣのステップＳ２３３で脈波信号ＰＳ１，ＰＳ２のいずれかがＳ／Ｎ＜αであれば（ステップＳ２３３でＮＯ）、図２３ＡのステップＳ２２１に戻って処理を繰り返す。なお、図２３Ａ〜図２３Ｃの処理を予め定められた回数繰り返しても使用に適した送受信アンテナ対が見つからない場合、または、予め定められた期間が経過しても使用に適した送受信アンテナ対が見つからない場合は、この例では、ＣＰＵ１００が表示器５０にエラー表示を行って、処理を終了する。
【０２５４】
なお、この動作フローでは、簡単のため、図２３ＡのステップＳ２２５で脈波信号ＰＳ１，ＰＳ２のいずれもＳ／Ｎ（ＴＸ２，ＲＸ２）＞Ｓ／Ｎ（ＴＸ３，ＲＸ３）であるか、または、脈波信号ＰＳ１，ＰＳ２のいずれもＳ／Ｎ（ＴＸ２，ＲＸ２）＜Ｓ／Ｎ（ＴＸ３，ＲＸ３）であるものとしている。
【０２５５】
（表６）
2019022541.tif 000006
【０２５６】
（表７）
2019022541.tif 000007
【０２５７】
このように、図２３Ａ〜図２３Ｃの動作フローでは、ＣＰＵ１００によって選択が１回切り換えられる度に、その選択に応じて受信される信号の信号対ノイズ比（Ｓ／Ｎ）を、メモリ５１に記憶する。ＣＰＵ１００は、メモリ５１に記憶された過去の選択に応じた信号対ノイズ比（Ｓ／Ｎ）と、今回の選択に応じた信号対ノイズ比（Ｓ／Ｎ）とに基づいて、次回の選択を決めている。つまり、上の例では、図２３ＡのステップＳ２２５の結果に基づいて、図２３ＡのステップＳ２２６に進んで送受信アンテナ対（ＴＸ１，ＲＸ１）を選択するか、または、図２３ＣのステップＳ２３０に進んで送受信アンテナ対（ＴＸ４，ＲＸ４）を選択するかを決めている。したがって、図２３Ａ〜図２３Ｃの動作フローによれば、複数のアンテナ要素の間で、使用に適した送受信アンテナ対（ＴＸ１，ＲＸ１），（ＴＸ２，ＲＸ２），（ＴＸ３，ＲＸ３），（ＴＸ４，ＲＸ４）を、信号対ノイズ比（Ｓ／Ｎ）の状況に応じて探索できる。
【０２５８】
上の動作フローでは、簡単のため、図２３ＡのステップＳ２２５では、脈波信号ＰＳ１，ＰＳ２のいずれもＳ／Ｎ（ＴＸ３，ＲＸ３）＜Ｓ／Ｎ（ＴＸ２，ＲＸ２）であるか、または、脈波信号ＰＳ１，ＰＳ２のいずれもＳ／Ｎ（ＴＸ３，ＲＸ３）＞Ｓ／Ｎ（ＴＸ２，ＲＸ２）であるものとした。しかしながら、これに限られるものではない。例えば、第１組の送受信アンテナ対（４１，４２）における送受信アンテナ対の選択と、第２組の送受信アンテナ対（４４，４３）における送受信アンテナ対の選択とを互いに独立に行うものとし、例えば脈波信号ＰＳ１についてＳ／Ｎ（ＴＸ３，ＲＸ３）＜Ｓ／Ｎ（ＴＸ２，ＲＸ２）であり、かつ、脈波信号ＰＳ２についてＳ／Ｎ（ＴＸ３，ＲＸ３）＞Ｓ／Ｎ（ＴＸ２，ＲＸ２）である場合は、第１組の送受信アンテナ対（４１，４２）における次回の送受信アンテナ対の選択と、第２組の送受信アンテナ対（４４，４３）における次回の送受信アンテナ対の選択とを互いに異なるものとしてもよい。またはその逆に、脈波信号ＰＳ１についてＳ／Ｎ（ＴＸ３，ＲＸ３）＞Ｓ／Ｎ（ＴＸ２，ＲＸ２）であり、かつ、脈波信号ＰＳ２についてＳ／Ｎ（ＴＸ３，ＲＸ３）＞Ｓ／Ｎ（ＴＸ２，ＲＸ２）である場合も同様に、第１組の送受信アンテナ対（４１，４２）における次回の送受信アンテナ対の選択と、第２組の送受信アンテナ対（４４，４３）における次回の送受信アンテナ対の選択とを互いに異なるものとしてもよい。これにより、左手首９０に対するベルト２０の装着の際に、例えば図３の紙面内で、たとえ橈骨動脈９１に対してベルト２０が斜めに交差して送受信アンテナ群４０Ｅが斜めに位置ずれしたとしても、第１組の送受信アンテナ対（４１，４２）、第２組の送受信アンテナ対（４４，４３）において、それぞれ使用に適した送受信アンテナ対を、信号対ノイズ比（Ｓ／Ｎ）の状況に応じて探索できる。
【０２５９】
また、上の例では、「過去」として前回の選択に応じた信号対ノイズ比Ｓ／Ｎ（ＴＸ３，ＲＸ３）と、今回の選択に応じた信号対ノイズ比Ｓ／Ｎ（ＴＸ２，ＲＸ２）とに基づいて、次回の選択を決めるものとした。しかしながら、これに限られるものではない。「過去」として前回、前々回というように、複数回の選択に応じた信号対ノイズ比（Ｓ／Ｎ）を用いてもよい。これにより、探索の精度を高めることができる。
【０２６０】
なお、図２３Ａ〜図２３Ｃの動作フローでは、ＣＰＵ１００は、メモリ５１に記憶された過去の選択に応じた信号対ノイズ比（Ｓ／Ｎ）と、今回の選択に応じた信号対ノイズ比（Ｓ／Ｎ）とに基づいて、次回の「選択」を決めるものとした。しかしながら、信号対ノイズ比（Ｓ／Ｎ）の状況に応じた動的な探索は、「選択」に限られるものではなく、「重み付け」の場合にも適用され得る。例えば、ＣＰＵ１００によって重み付けが１回切り換えられる度に、その重み付けに応じて受信される信号の信号対ノイズ比（Ｓ／Ｎ）を、メモリ５１に記憶してもよい。そして、ＣＰＵ１００は、メモリ５１に記憶された過去の重み付けに応じた信号対ノイズ比（Ｓ／Ｎ）と、今回の重み付けに応じた信号対ノイズ比（Ｓ／Ｎ）とに基づいて、次回の重み付けを決めるものとしてもよい。このようにした場合、複数のアンテナ要素の間で、使用に適した重み付けを、信号対ノイズ比（Ｓ／Ｎ）の状況に応じて探索できる。
【０２６１】
（変形例）
上述の実施形態では、例えば図３中に示したように、送受信アンテナ群４０Ｅの第２組の送受信アンテナ対（４４，４３）は、ベルト２０の長手方向Ｘに沿って並ぶ４つの送信アンテナＴＸ１，ＴＸ２，ＴＸ３，ＴＸ４と、長手方向Ｘに沿って並ぶ４つの受信アンテナＲＸ１，ＲＸ２，ＲＸ３，ＲＸ４とで構成された。第１組の送受信アンテナ対（４１，４２）も同様に構成された。しかしながら、これに限られるものではない。例えば、図２４（Ａ）に示すように、第２組の送受信アンテナ対（４４，４３）は、１つの送受信アンテナＴＸ１と、長手方向Ｘに沿って並ぶ２つの受信アンテナＲＸ１，ＲＸ２とで構成されてもよい。これらは、２つの送受信アンテナ対（ＴＸ１，ＲＸ１），（ＴＸ１，ＲＸ２）として用いられ得る。また、図２４（Ｂ）に示すように、第２組の送受信アンテナ対（４４，４３）は、１つの送受信アンテナＴＸ１と、長手方向Ｘに沿って並ぶ３つの受信アンテナＲＸ１，ＲＸ２，ＲＸ３とで構成されてもよい。これらは、３つの送受信アンテナ対（ＴＸ１，ＲＸ１），（ＴＸ１，ＲＸ２），（ＴＸ１，ＲＸ３）として用いられ得る。また、図２４（Ｃ）に示すように、第２組の送受信アンテナ対（４４，４３）は、１つの送受信アンテナＴＸ１と、長手方向Ｘに沿って並ぶ４つの受信アンテナＲＸ１，ＲＸ２，ＲＸ３，ＲＸ４とで構成されてもよい。これらは、４つの送受信アンテナ対（ＴＸ１，ＲＸ１），（ＴＸ１，ＲＸ２），（ＴＸ１，ＲＸ３），（ＴＸ１，ＲＸ４）として用いられ得る。また、図２４（Ｄ）に示すように、第２組の送受信アンテナ対（４４，４３）は、長手方向Ｘに沿って並ぶ２つの送信アンテナＴＸ１，ＴＸ２と、１つの受信アンテナＲＸ１とで構成されてもよい。これらは、２つの送受信アンテナ対（ＴＸ１，ＲＸ１），（ＴＸ２，ＲＸ１）として用いられ得る。また、図２４（Ｅ）に示すように、第２組の送受信アンテナ対（４４，４３）は、長手方向Ｘに沿って並ぶ３つの送信アンテナＴＸ１，ＴＸ２，ＴＸ３と、１つの受信アンテナＲＸ１とで構成されてもよい。これらは、３つの送受信アンテナ対（ＴＸ１，ＲＸ１），（ＴＸ２，ＲＸ１），（ＴＸ３，ＲＸ１）として用いられ得る。また、図２４（Ｆ）に示すように、第２組の送受信アンテナ対（４４，４３）は、長手方向Ｘに沿って並ぶ４つの送信アンテナＴＸ１，ＴＸ２，ＴＸ３，ＴＸ４と、１つの受信アンテナＲＸ１とで構成されてもよい。これらは、４つの送受信アンテナ対（ＴＸ１，ＲＸ１），（ＴＸ２，ＲＸ１），（ＴＸ３，ＲＸ１），（ＴＸ４，ＲＸ１）として用いられ得る。以上は、第１組の送受信アンテナ対（４１，４２）についても、同様である。
【０２６２】
また、長手方向Ｘに沿って並ぶ送信アンテナと長手方向Ｘに沿って並ぶ受信アンテナとが同数で、幅方向Ｙに沿って並ぶ送信アンテナと受信アンテナとが送受信アンテナ対として用いられる場合においても、図２５（Ａ）に示すように、第２組の送受信アンテナ対（４４，４３）は、長手方向Ｘに沿って並ぶ２つの送信アンテナＴＸ１，ＴＸ２と、長手方向Ｘに沿って並ぶ２つの受信アンテナＲＸ１，ＲＸ２とのみで構成されてもよい。また、図２４（Ｂ）に示すように、第２組の送受信アンテナ対（４４，４３）は、長手方向Ｘに沿って並ぶ３つの送受信アンテナＴＸ１，ＴＸ２，ＴＸ３と３つの受信アンテナＲＸ１，ＲＸ２，ＲＸ３とのみで構成されてもよい。これは、第１組の送受信アンテナ対（４１，４２）についても、同様である。
【０２６３】
また、図３の例では、図２６（Ｃ）中に部分的に拡大して示すように、幅方向Ｙに関して、送受信アンテナ群４０Ｅが占める範囲内の両側に送信アンテナ列４１，４４が配置され、これらの送信アンテナ列４１，４４の間に受信アンテナ列４２，４３が配置されているものとした。しかしながら、これに限られるものではない。図２６（Ａ）に示すように、送受信アンテナ群４０Ｅが占める範囲内の両側に受信アンテナ列４２，４３が配置され、これらの受信アンテナ列４２，４３の間に送信アンテナ列４１，４４が配置されていてもよい。この配置では、幅方向Ｙに関して、送信アンテナ列４１に対して、受信アンテナ列４３よりも受信アンテナ列４２が近い。また、幅方向Ｙに関して、送信アンテナ列４４に対して、受信アンテナ列４２よりも受信アンテナ列４３が近い。したがって、第１組の送受信アンテナ対（４１，４２）と第２組の送受信アンテナ対（４４，４３）との間の混信を少なくすることができる。
【０２６４】
幅方向Ｙに関して、第１組の送受信アンテナ対（４１，４２）と第２組の送受信アンテナ対（４４，４３）との間の距離が十分に確保されている場合は、図２６（Ｂ）に示すように、第１組の送受信アンテナ対（４１，４２）における送信アンテナ列４１、受信アンテナ列４２の配置と、第２組の送受信アンテナ対（４４，４３）における送信アンテナ列４４、受信アンテナ列４３の配置とが同じ（並行移動したとき重なる配置）であってもよい。
【０２６５】
上述の実施形態では、図３に示したように、ベルト２０の長手方向Ｘおよび幅方向Ｙに沿って、複数のアンテナ要素としての送信アンテナＴＸ１，ＴＸ２，…と受信アンテナＲＸ１，ＲＸ２，…とが、互いに離間して配置されているものした。しかしながら、これに限られるものではない。図２７に示すように、複数のアンテナ要素としての送信アンテナＴＸ１，ＴＸ２，…と受信アンテナＲＸ１，ＲＸ２，…とが配置されている方向は、ベルト２０の長手方向Ｘおよび幅方向Ｙに対して傾斜していてもよい。この例では、上記ベルト２０の面内で長手方向Ｘおよび幅方向Ｙに対して傾斜した１方向ｕに沿って、第１組の送信アンテナ列４１をなす４つの送信アンテナＴＸ１，ＴＸ２，ＴＸ３，ＴＸ４が互いに離間して配置されるとともに、受信アンテナ列４２をなす４つの受信アンテナＲＸ１，ＲＸ２，ＲＸ３，ＲＸ４が互いに離間して配置されている。その１方向ｕに直交した方向ｖに沿って、４つの送信アンテナＴＸ１，ＴＸ２，ＴＸ３，ＴＸ４と、４つの受信アンテナＲＸ１，ＲＸ２，ＲＸ３，ＲＸ４とが、それぞれ互いに離間して配置されている。第２組の送受信アンテナ対（４３，４４）も同様に配置されている。このように、複数のアンテナ要素としての送信アンテナＴＸ１，ＴＸ２，…と受信アンテナＲＸ１，ＲＸ２，…とが配置されている方向ｕおよび方向ｖが、ベルト２０の長手方向Ｘおよび幅方向Ｙに対して傾斜していたとしても、例えば上記複数のアンテナ要素の間で、適切な送受信アンテナ対を選択したり、適切に送受信アンテナ対を重み付けすることができる。これにより、上記受信される信号の信号対ノイズ比を大きくすることができる。その結果、生体情報を精度良く測定することができる。なお、長手方向Ｘおよび幅方向Ｙに対する方向ｕおよび方向ｖの傾斜は、図２７中に示すような時計回りに回転した向きの傾斜ではなく、反時計回りに回転した向きの傾斜であってもよい。
【０２６６】
また、上述の実施形態では、図２８（Ａ）に拡大して示すように、各アンテナ要素（図２８（Ａ）中に送信アンテナＴＸ１を例示している。）は、２４ＧＨｚ帯の周波数の電波を発射または受信し得るように、面方向に関して、縦横いずれも約３ｍｍの正方形のパターン形状を有するもの（パッチアンテナ）とした。しかしながら、これに限られるものではない。図２８（Ｂ）中に示すように、各アンテナ要素は、それぞれ約３ｍｍの長さを有する２つの部分ＴＸａ，ＴＸｂをストレートに配置してなるダイポールアンテナであってもよい。また、図２８（Ｃ）中に示すように、各アンテナ要素は、縦横約５ｍｍ以上の矩形状のグランド部分ＴＸｇｎｄと長さ約３ｍｍのモノポール部分ＴＸｍとからなるモノポールアンテナであってもよい。
【０２６７】
また、上述の実施形態では、送信アンテナとして用いられるアンテナ要素と、受信アンテナとして用いられるアンテナ要素とが、空間的に互いに離間し、区分されているものとした。しかしながら、これに限られるものではない。生体測定用アンテナ装置をなすアンテナ要素は、電波の発射および受信のために、公知のサーキュレータを介して空間的に１つの送受共用アンテナとして用いられてもよい。
【０２６８】
また、上述の実施形態では、血圧計１は、被測定部位として左手首９０に装着されることが予定されているものとした。しかしながら、これに限られるものではない。被測定部位は、動脈が通っていれば良く、右手首や、手首以外の上腕などの上肢であっても良いし、足首、大腿などの下肢であっても良い。
【０２６９】
また、上述の実施形態では、血圧計１に搭載されたＣＰＵ１００が脈波検出部、第１および第２の血圧算出部として働いて、オシロメトリック法による血圧測定（図８Ｂの動作フロー）およびＰＴＴに基づく血圧測定（推定）（図１０の動作フロー）を実行するものとした。しかしながら、これに限られるものではない。例えば、血圧計１の外部に設けられたスマートフォンなどの実質的なコンピュータ装置が、脈波検出部、第１および第２の血圧算出部として働いて、ネットワーク９００を介して、血圧計１にオシロメトリック法による血圧測定（図８Ｂの動作フロー）およびＰＴＴに基づく血圧測定（推定）（図１０の動作フロー）を実行させるようにしてもよい。その場合、ユーザは、そのコンピュータ装置の操作部（タッチパネル、キーボード、マウスなど）によって血圧測定開始又は停止の指示などの操作を行い、そのコンピュータ装置の表示器（有機ＥＬディスプレイ、ＬＣＤなど）によって血圧測定結果などの血圧測定に関する情報、その他の情報を表示させることができる。その場合、血圧計１では、表示器５０と操作部５２を省略してもよい。
【０２７０】
上述の実施形態では、血圧計１によって、生体情報としての脈波信号、脈波伝播時間、血圧を測定したが、これに限られるものではない。脈拍数などの他の様々な生体情報を測定してもよい。
【０２７１】
また、この発明では、生体測定用アンテナ装置、脈波測定装置、または、血圧測定装置を含み、さらに他の機能を実行する機能部を含む機器を構成してもよい。この機器によれば生体情報を精度良く測定でき、生体情報として特に脈波信号を精度良く取得でき、または、血圧値を精度良く算出（推定）できる。その他、この機器は様々な機能を実行することができる。
【０２７２】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０２７３】
１  血圧計
１０  本体
２０  ベルト
２１  押圧カフ
２３  帯状体
４０  送受信部
４０Ｅ  送受信アンテナ群
４０−１  第１の脈波センサ
４０−２  第２の脈波センサ
４１，４４  送信アンテナ列
４２，４３  受信アンテナ列
１００  ＣＰＵ
１１１，１１２  アンテナ制御部
ＴＸ１，ＴＸ２，ＴＸ３，ＴＸ４  送信アンテナ
ＲＸ１，ＲＸ２，ＲＸ３，ＲＸ４  受信アンテナ